(57)【要約】無線通信システムにおいてＭ２Ｍ（Ｍａｃｈｉｎｅ  ｔｏ  Ｍａｃｈｉｎｅ）機器がマルチキャストデータ関連情報を送信及び受信する方法とそのための装置が開示される。本発明の一実施形態に係るＭ２Ｍ機器がマルチキャストデータ関連情報を受信する方法は、基地局からマルチキャストトラフィック受信タイマー情報を含む第１メッセージを受信することと、前記基地局からページングメッセージを受信することと、前記第１メッセージ及び前記ページングメッセージに基づいて、前記ページングメッセージが指示する時点又は前記ページングメッセージを受信した時点からマルチキャストトラフィック受信タイマーを始動することと、を含み、ここで、マルチキャストトラフィック受信タイマー情報は前記Ｍ２Ｍ機器が遊休モード（ｉｄｌｅ  ｍｏｄｅ）で前記Ｍ２Ｍマルチキャストデータを受信するために待機する時間区間情報を含むとよい。【選択図】図１３
2014506772.tif 000002
【特許請求の範囲】
【請求項１】
無線通信システムにおいてＭ２Ｍ（Ｍａｃｈｉｎｅ  ｔｏ  Ｍａｃｈｉｎｅ）機器がマルチキャストデータ関連情報を受信する方法であって、
基地局からマルチキャストトラフィック受信タイマー情報を含む第１メッセージを受信することと、
前記基地局からページングメッセージを受信することと、
前記第１メッセージ及び前記ページングメッセージに基づいて、前記ページングメッセージが指示する時点又は前記ページングメッセージを受信した時点からマルチキャストトラフィック受信タイマーを始動することと、
を含み、
前記マルチキャストトラフィック受信タイマー情報は、前記Ｍ２Ｍ機器が遊休モード（ｉｄｌｅ  ｍｏｄｅ）で前記Ｍ２Ｍマルチキャストデータを受信するために待機する時間区間情報を含む、マルチキャストデータ関連情報受信方法。
【請求項２】
前記第１メッセージは、動的サービス追加を要請するメッセージ又は動的サービス変更を要請するメッセージである、請求項１に記載のマルチキャストデータ関連情報受信方法。
【請求項３】
前記動的サービス追加を要請するメッセージは、ＡＡＩ−ＤＳＡ−ＲＥＱメッセージ又はＤＳＡ−ＲＥＱメッセージであり、前記動的サービス変更を要請するメッセージは、ＡＡＩ−ＤＳＣ−ＲＥＱメッセージ又はＤＳＣ−ＲＥＱメッセージである、請求項２に記載のマルチキャストデータ関連情報受信方法。
【請求項４】
前記ページングメッセージが指示する時点は、前記マルチキャストデータを受信した時点である、請求項１に記載のマルチキャストデータ関連情報受信方法。
【請求項５】
前記基地局からマルチキャストデータを受信することと、
前記マルチキャストデータ受信によって前記マルチキャストトラフィック受信タイマーを再始動又はリセット（ｒｅｓｅｔ）することと、
をさらに含む、請求項１に記載のマルチキャストデータ関連情報受信方法。
【請求項６】
前記基地局からマルチキャストデータを受信することと、
前記基地局から前記マルチキャストデータの伝送終了を知らせる指示子を受信することと、
前記指示子に基づいて前記マルチキャストトラフィック受信タイマーの満了時点以前にマルチキャストトラフィック受信タイマーを中止することと、
をさらに含む、請求項１に記載のマルチキャストデータ関連情報受信方法。
【請求項７】
前記マルチキャストデータは、前記マルチキャストトラフィック受信タイマーにマッピングされたマルチキャスト接続（ｃｏｎｎｅｃｔｉｏｎ）と同じ接続である、請求項５に記載のマルチキャストデータ関連情報受信方法。
【請求項８】
前記Ｍ２Ｍ機器は、マルチキャストトラフィック受信タイマーを中止した後、遊休モードのページング利用不可区間に入る、請求項６に記載のマルチキャストデータ関連情報受信方法。
【請求項９】
前記マルチキャストトラフィック受信タイマーが終了すると、遊休モードのページング利用不可区間に入ることをさらに含む、請求項１に記載のマルチキャストデータ関連情報受信方法。
【請求項１０】
無線通信システムにおいてマルチキャストデータ関連情報を受信するＭ２Ｍ（Ｍａｃｈｉｎｅ  ｔｏ  Ｍａｃｈｉｎｅ）機器であって、
基地局からマルチキャストトラフィック受信タイマー情報を含む第１メッセージ及びページングメッセージを受信する受信器と、
前記第１メッセージ及び前記ページングメッセージに基づいて、前記ページングメッセージが指示する時点又は前記ページングメッセージを受信した時点からマルチキャストトラフィック受信タイマーを始動するように制御するプロセッサと、
を備え、
前記マルチキャストトラフィック受信タイマー情報は、前記Ｍ２Ｍ機器が遊休モード（ｉｄｌｅ  ｍｏｄｅ）で前記Ｍ２Ｍマルチキャストデータを受信するために待機する時間区間情報を含む、Ｍ２Ｍ機器。
【請求項１１】
前記第１メッセージは、動的サービス追加を要請するメッセージ又は動的サービス変更を要請するメッセージである、請求項１０に記載のＭ２Ｍ機器。
【請求項１２】
前記動的サービス追加を要請するメッセージは、ＡＡＩ−ＤＳＡ−ＲＥＱメッセージ又はＤＳＡ−ＲＥＱメッセージであり、前記動的サービス変更を要請するメッセージは、ＡＡＩ−ＤＳＣ−ＲＥＱメッセージ又はＤＳＣ−ＲＥＱメッセージである、請求項１１に記載のＭ２Ｍ機器。
【請求項１３】
前記受信器は、前記基地局からマルチキャストデータを受信し、
前記プロセッサは、前記マルチキャストデータ受信によって前記マルチキャストトラフィック受信タイマーを再始動又はリセット（ｒｅｓｅｔ）するように制御する、請求項１０に記載のＭ２Ｍ機器。
【請求項１４】
前記受信器は、前記基地局からマルチキャストデータ及び前記マルチキャストデータの伝送終了を知らせる指示子をそれぞれ受信し、
前記プロセッサは、前記指示子に基づいて前記マルチキャストトラフィック受信タイマーの満了時点以前にマルチキャストトラフィック受信タイマーを中止する、請求項１０に記載のＭ２Ｍ機器。
【請求項１５】
前記マルチキャストデータは、前記マルチキャストトラフィック受信タイマーにマッピングされたマルチキャスト接続（ｃｏｎｎｅｃｔｉｏｎ）と同じ接続である、請求項１４に記載のＭ２Ｍ機器。
【請求項１６】
前記プロセッサは、マルチキャストトラフィック受信タイマーを中止した後、遊休モードのページング利用不可区間に入るように制御する、請求項１５に記載のＭ２Ｍ機器。
【請求項１７】
前記プロセッサは、前記マルチキャストトラフィック受信タイマーが終了すると、遊休モードのページング利用不可区間に入るように制御する、請求項１０に記載のＭ２Ｍ機器。
【発明の詳細な説明】
【技術分野】
【０００１】
本発明は、無線通信に係り、特に、Ｍ２Ｍ（Ｍａｃｈｉｎｅ  ｔｏ  Ｍａｃｈｉｎｅ）機器がマルチキャストデータ関連情報を送信及び受信する方法並びにそのための装置に関する。
【背景技術】
【０００２】
機器間通信（Ｍａｃｈｉｎｅ  ｔｏ  Ｍａｃｈｉｎｅ；以下、Ｍ２Ｍ）は、言葉の通り、電子装置と電子装置間の通信を意味する。広義には、電子装置同士の有線あるいは無線通信や、人が制御する装置と機械間の通信のことを意味する。しかし、最近では、電子装置と電子装置間、すなわち、人の関与なしに行われる機器間無線通信を指すのが一般的である。
【０００３】
Ｍ２Ｍ通信は、その概念が初めて導入された１９９０年代初期には、大体、遠隔調整やテレマティックスの概念として認識されたし、派生する市場自体も非常に限定されていたが、ここ数年高速成長を重ねながら全世界的に注目される市場へと成長してきた。特に、販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、機械及び設備の遠隔モニタリング、建設機械設備上の作動時間測定、及び熱や電気使用量を自動測定する知能検針（Ｓｍａｒｔ  Ｍｅｔｅｒ）などの分野で大きな影響力を発揮してきた。将来のＭ２Ｍ通信は、既存の移動通信、無線超高速インターネット、及びＷｉ−ＦｉやＺｉｇｂｅｅ（登録商標）などの小出力通信ソリューションと連係してより様々な用途に活用されることから、これまでのＢ２Ｂ（Ｂｕｓｉｎｅｓｓ  ｔｏ  Ｂｕｓｉｎｅｓｓ）市場に限らず、Ｂ２Ｃ（Ｂｕｓｉｎｅｓｓ  ｔｏ  Ｃｏｎｓｕｍｅｒ）市場へとその領域が拡大する見込みである。
【０００４】
Ｍ２Ｍ通信時代において、ＳＩＭ（Ｓｕｂｓｃｒｉｂｅｒ  Ｉｄｅｎｔｉｔｙ  Ｍｏｄｕｌｅ）カードを装着している機械はいずれもデータ送受信が可能になり、遠隔管理及び統制ができる。例えば、自動車、トラック、電車、コンテナ、自動販売機、ガスタンクなどを含む数多くの機器や装備にＭ２Ｍ通信技術が利用されるなど、その適用範囲は非常に広範囲である。
【０００５】
従来では、端末を個別単位に管理するのが一般的であり、基地局と端末間通信も一対一通信方式で行われていた。このような一対一通信方式で数多くのＭ２Ｍ機器が基地局と通信するとすれば、各Ｍ２Ｍ機器と基地局とのシグナリングによりネットワーク過負荷が発生すると予想される。上述したように、Ｍ２Ｍ通信が急に拡散され広範囲化する場合に、Ｍ２Ｍ機器同士間、又は各Ｍ２Ｍ機器と基地局間の通信によるオーバーヘッド（ｏｖｅｒｈｅａｄ）が問題になることがある。
【０００６】
一方、それらＭ２Ｍ機器に基地局がマルチキャストデータを伝送する必要がある場合もあるが、基地局が各Ｍ２Ｍ機器の特性を考慮してマルチキャストを伝送する方法及び該マルチキャストを效率よく受信する具体的方法は未だ提示されていない現状である。
【発明の概要】
【発明が解決しようとする課題】
【０００７】
本発明で達成しようとする技術的課題は、無線通信システムにおいてＭ２Ｍ機器がマルチキャストデータ関連情報を受信する方法を提供することである。
【０００８】
本発明で達成しようとする他の技術的課題は、無線通信システムにおいてマルチキャストデータ関連情報を受信するＭ２Ｍ機器を提供することである。
【０００９】
本発明で達成しようとする技術的課題は、以上に言及した技術的課題に制限されるものではなく、言及していない他の技術的課題は、下の記載から、本発明の属する技術の分野における通常の知識を有する者には明らかになるであろう。
【課題を解決するための手段】
【００１０】
上記の技術的課題を達成するための、無線通信システムにおいてＭ２Ｍ（Ｍａｃｈｉｎｅ  ｔｏ  Ｍａｃｈｉｎｅ）機器がマルチキャストデータ関連情報を受信する方法は、基地局からマルチキャストトラフィック受信タイマー情報を含む第１メッセージを受信することと、前記基地局からページングメッセージを受信することと、前記第１メッセージ及び前記ページングメッセージに基づいて、前記ページングメッセージが指示する時点又は前記ページングメッセージを受信した時点からマルチキャストトラフィック受信タイマーを始動することと、を含み、前記マルチキャストトラフィック受信タイマー情報は、前記Ｍ２Ｍ機器が遊休モード（ｉｄｌｅ  ｍｏｄｅ）で前記Ｍ２Ｍマルチキャストデータを受信するために待機する時間区間情報を含むとよい。前記第１メッセージは、動的サービス追加を要請するメッセージ又は動的サービス変更を要請するメッセージであればよく、前記動的サービス追加を要請するメッセージは、ＡＡＩ−ＤＳＡ−ＲＥＱメッセージ又はＤＳＡ−ＲＥＱメッセージであり、前記動的サービス変更を要請するメッセージは、ＡＡＩ−ＤＳＣ−ＲＥＱメッセージ又はＤＳＣ−ＲＥＱメッセージであるとよい。もし、前記マルチキャストトラフィック受信タイマーが終了すると、Ｍ２Ｍ機器は遊休モードのページング利用不可区間に入るとよい。
【００１１】
前記ページングメッセージが指示する時点は、前記マルチキャストデータを受信した時点であってもよい。前記方法は、前記基地局からマルチキャストデータを受信することと、前記マルチキャストデータ受信によって前記マルチキャストトラフィック受信タイマーを再始動又はリセット（ｒｅｓｅｔ）することと、をさらに含んでもよい。
【００１２】
選択的に、前記方法は、前記基地局からマルチキャストデータを受信することと、前記基地局から前記マルチキャストデータの伝送終了を知らせる指示子を受信することと、前記指示子に基づいて、前記マルチキャストトラフィック受信タイマーの満了時点以前にマルチキャストトラフィック受信タイマーを中止することと、をさらに含んでもよい。前記マルチキャストデータは、前記マルチキャストトラフィック受信タイマーにマッピングされたマルチキャスト接続（ｃｏｎｎｅｃｔｉｏｎ）と同じ接続であってもよい。前記Ｍ２Ｍ機器はマルチキャストトラフィック受信タイマーを中止した後、遊休モードのページング利用不可区間に入ればよい。
【００１３】
上記の他の技術的課題を達成するための、本発明の一実施形態に係るマルチキャストデータ関連情報を受信するＭ２Ｍ（Ｍａｃｈｉｎｅ  ｔｏ  Ｍａｃｈｉｎｅ）機器は、基地局からマルチキャストトラフィック受信タイマー情報を含む第１メッセージ及びページングメッセージを受信する受信器と、前記第１メッセージ及び前記ページングメッセージに基づいて、前記ページングメッセージが指示する時点又は前記ページングメッセージを受信した時点からマルチキャストトラフィック受信タイマーを始動するように制御するプロセッサと、を備え、前記マルチキャストトラフィック受信タイマー情報は、前記Ｍ２Ｍ機器が遊休モード（ｉｄｌｅ  ｍｏｄｅ）で前記Ｍ２Ｍマルチキャストデータを受信するために待機する時間区間情報を含むとよい。前記第１メッセージは、動的サービス追加を要請するメッセージ又は動的サービス変更を要請するメッセージであればよく、前記動的サービス追加を要請するメッセージは、ＡＡＩ−ＤＳＡ−ＲＥＱメッセージ又はＤＳＡ−ＲＥＱメッセージであり、前記動的サービス変更を要請するメッセージは、ＡＡＩ−ＤＳＣ−ＲＥＱメッセージ又はＤＳＣ−ＲＥＱメッセージであるとよい。前記受信器は前記基地局からマルチキャストデータを受信し、前記プロセッサは、前記マルチキャストデータ受信によって前記マルチキャストトラフィック受信タイマーを再始動又はリセット（ｒｅｓｅｔ）するように制御するとよい。
【００１４】
前記Ｍ２Ｍ機器において、前記受信器は、前記基地局からマルチキャストデータと前記マルチキャストデータの伝送終了を知らせる指示子をそれぞれ受信し、前記プロセッサは、前記指示子に基づいて、前記マルチキャストトラフィック受信タイマーの満了時点以前にマルチキャストトラフィック受信タイマーを中止してもよい。前記マルチキャストデータは前記マルチキャストトラフィック受信タイマーにマッピングされたマルチキャスト接続（ｃｏｎｎｅｃｔｉｏｎ）と同じ接続であり、前記プロセッサは、マルチキャストトラフィック受信タイマーを中止した後、遊休モードのページング利用不可区間に入るように制御するとよい。
【発明の効果】
【００１５】
本発明の様々な実施例によれば、Ｍ２Ｍ機器がマルチキャストデータ関連情報を效率的に受信することができ、特に、遊休モードにあるＭ２Ｍ機器は低い電力を消費して電力節減効果が得られ、且つ通信性能を向上させることが可能になる。
【００１６】
本発明から得られる効果は、以上に言及した効果に制限されず、言及していない別の効果は、下の記載から、本発明の属する技術の分野における通常の知識を有する者には明らかになるであろう。
【図面の簡単な説明】
【００１７】
本発明に関する理解を助けるために詳細な説明の一部として含まれる添付図面は、本発明に係る実施例を提供し、詳細な説明と共に本発明の技術的思想を説明する。
【図１】図１は、本発明の一実施形態に係るＭ２Ｍ機器及び基地局などの装置構成を概略的に説明するための図である。
【図２】図２は、遊休モードでページング手順を示すフローチャートである。
【図３】図３は、本発明の一実施例に係るＭ２Ｍ機器と基地局間のマルチキャストデータ伝送の例を示す図である。
【図４】図４は、本発明の一実施例に係るＭ２Ｍ機器と基地局間のマルチキャストデータ伝送の他の例を示す図である。
【図５】図５Ａ及び図５Ｂは、本発明の一実施例に係るＭ２Ｍ機器と基地局間のマルチキャストデータ伝送の他の例を示す図である。
【図６】図６は、本発明の一実施例に係るＭ２Ｍ機器と基地局間のマルチキャストデータ伝送の他の例を示す図である。
【図７】図７は、本発明の一実施例に係るＭ２Ｍ機器と基地局間のマルチキャストデータ伝送の他の例を示す図である。
【図８】図８は、本発明の一実施例に係るＭ２Ｍ機器と基地局間のマルチキャストデータ伝送の他の例を示す図である。
【図９】図９は、本発明の一実施例に係るＭ２Ｍ機器と基地局間のマルチキャストデータ伝送の他の例を示す図である。
【図１０】図１０は、本発明の一実施例に係るＭ２Ｍ機器と基地局間のマルチキャストデータ伝送のさらに他の例を示す図である。
【図１１】図１１は、本発明の一実施例に係るＭ２Ｍ機器と基地局間のマルチキャストデータ伝送のさらに他の例を示す図である。
【図１２】図１２は、基地局で開始する（ＢＳ−ｉｎｉｔｉａｔｅｄ）ＤＳＡ手順の一例を示す図である。
【図１３】図１３は、本発明の一実施例に係るＭ２Ｍ機器と基地局間のマルチキャストデータ伝送のさらに他の例を示す図である。
【発明を実施するための形態】
【００１８】
以下、本発明の好適な実施形態を、添付の図面を参照して詳細に説明する。添付の図面と共に以下に開示される詳細な説明は、本発明の例示的な実施形態を説明するためのもので、本発明が実施され得る唯一の実施形態を示すためのものではない。以下の詳細な説明は、本発明の完全な理解を提供するために具体的な細部事項を含む。しかし、このような具体的な細部事項なしにも本発明の実施が可能であるということが当業者には理解される。例えば、以下の詳細な説明は、移動通信システムがＩＥＥＥ  ８０２．１６システムである場合を取り上げて具体的に説明するが、ＩＥＥＥ  ８０２．１６システム特有の事項以外は、他の任意の無線通信システムにも同様の適用が可能である。
【００１９】
場合によっては、本発明の概念が曖昧になることを避けるために、公知の構造及び装置が省略されたり、各構造及び装置の核心機能を中心にしたブロック図の形式で図示されたりすることもある。また、本明細書全体を通じて同一の構成要素には同一の図面符号を付して説明する。
【００２０】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）などの、移動又は固定型のユーザー端機器を総称し、また、基地局は、Ｎｏｄｅ  Ｂ、ｅＮｏｄｅ  Ｂ、ＢＳ（Ｂａｓｅ  Ｓｔａｔｉｏｎ）、ＡＰ（Ａｃｃｅｓｓ  Ｐｏｉｎｔ）などの、端末と通信するネットワーク端の任意のノードを総称するものとする。
【００２１】
移動通信システムにおいて、端末（Ｕｓｅｒ  Ｅｑｕｉｐｍｅｎｔ）は、基地局からダウンリンク（Ｄｏｗｎｌｉｎｋ）で情報を受信し、基地局にアップリンク（Ｕｐｌｉｎｋ）で情報を伝送することができる。端末が伝送又は受信する情報にはデータ及び種々の制御情報があり、端末が伝送又は受信する情報の種類用途に応じて様々な物理チャネルが存在する。
【００２２】
以下、Ｍ２Ｍ機器間の通信は、基地局を介した端末同士間で、又は人の介入のない基地局と端末間で行う通信形態を意味する。したがって、Ｍ２Ｍ機器（Ｄｅｖｉｃｅ）は、上記のようなＭ２Ｍ機器の通信の支援が可能な端末を意味する。Ｍ２Ｍサービスのための接続サービスネットワークは、Ｍ２Ｍ  ＡＳＮ（Ｍ２Ｍ  Ａｃｃｅｓｓ  Ｓｅｒｖｉｃｅ  Ｎｅｔｗｏｒｋ）と定義し、Ｍ２Ｍ機器と通信するネットワークエンティティをＭ２Ｍサーバーという。Ｍ２Ｍサーバーは、Ｍ２Ｍアプリケーションを行い、一つ以上のＭ２Ｍ機器のためのＭ２Ｍ特定サービスを提供する。Ｍ２Ｍフィーチャ（ｆｅａｔｕｒｅ）は、Ｍ２Ｍアプリケーションの特徴であり、アプリケーションを提供するのに一つ以上の特徴が要求される場合がある。Ｍ２Ｍ機器グループは、共通の一つ以上の特徴を共有するＭ２Ｍ機器のグループを意味する。
【００２３】
Ｍ２Ｍ方式で通信する機器（Ｍ２Ｍ機器、Ｍ２Ｍ通信機器、ＭＴＣ（Ｍａｃｈｉｎｅ  Ｔｙｐｅ  Ｃｏｍｍｕｎｉｃａｔｉｏｎ）機器などと様々に呼ばれてもよい。）は、それらの機器アプリケーションタイプ（Ｍａｃｈｉｎｅ  Ａｐｐｌｉｃａｔｉｏｎ  Ｔｙｐｅ）が増加するに伴い、一定のネットワークにおいてその数が次第に増加していくだろう。議論されている機器アプリケーションタイプには、（１）保安（ｓｅｃｕｒｉｔｙ）、（２）治安（ｐｕｂｌｉｃ  ｓａｆｅｔｙ）、（３）トラッキング及びトレーシング（ｔｒａｃｋｉｎｇ  ａｎｄ  ｔｒａｃｉｎｇ）、（４）支払い（ｐａｙｍｅｎｔ）、（５）健康管理（ｈｅａｌｔｈｃａｒｅ）、（６）遠隔維持及び制御（ｒｅｍｏｔｅ  ｍａｉｎｔｅｎａｎｃｅ  ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間測定及び熱や電気使用量を自動測定する知能検針（Ｓｍａｒｔ  Ｍｅｔｅｒ）、（１２）監視カメラの監視映像（Ｓｕｒｖｅｉｌｌａｎｃｅ  Ｖｉｄｅｏ）通信などがあるが、これらに限定されるものではなく、その他様々な機器アプリケーションタイプが議論されている。
【００２４】
Ｍ２Ｍ機器の他の特性に、低い移動性或いは無移動性がある。非常に移動性が低い、或いは移動性がないということは、Ｍ２Ｍ機器が長時間固定（ｓｔａｔｉｏｎａｒｙ）しているということを意味する。Ｍ２Ｍ通信システムは、保安接続及び監視（ｓｅｃｕｒｅｄ  ａｃｃｅｓｓ  ａｎｄ  ｓｕｒｖｅｉｌｌａｎｃｅ）、治安（ｐｕｂｌｉｃ  ｓａｆｅｔｙ）、支払い（ｐａｙｍｅｎｔ）、遠隔維持及び制御（ｒｅｍｏｔｅ  ｍａｉｎｔｅｎａｎｃｅ  ａｎｄ  ｃｏｎｔｒｏｌ）、検針（ｍｅｔｅｒｉｎｇ）などのような、固定した位置を持つ特定Ｍ２Ｍアプリケーションのための移動性−関連動作を単純化又は最適化するとよい。
【００２５】
このように、機器アプリケーションタイプが増加するに従ってＭ２Ｍ通信機器の数は一般の移動通信機器の数に比べて飛躍的に増加するはずである。そのため、これら機器の全てが個別に基地局と通信を行うと、無線インターフェース、ネットワークに深刻な負荷を招くことにつながる。
【００２６】
以下では、Ｍ２Ｍ通信が無線通信システム（例えば、ＩＥＥＥ  ８０２．１６ｅ／ｍ）に適用される場合を取り上げて本発明の実施例を説明する。しかし、本発明はこれに限定されるものではなく、本発明の実施例は、３ＧＰＰ  ＬＴＥシステムなどの他のシステムにも同様の方式で適用可能である。。
【００２７】
図１は、本発明の一実施形態に係るＭ２Ｍ機器及び基地局などの装置構成を概略的に説明するための図である。
【００２８】
図１で、Ｍ２Ｍ機器１００（あるいは、Ｍ２Ｍ通信機器と呼ぶこともできるが、以下では、Ｍ２Ｍ機器と呼ぶ）及び基地局１５０は、それぞれ、ＲＦユニット１１０，１６０、プロセッサ１２０，１７０、及び選択的にメモリー１３０，１８０を備えている。そして、各ＲＦユニット１１０，１６０は、送信器１１１，１６１及び受信器１１２，１６２を備えている。Ｍ２Ｍ機器１００の、例えば送信器１１１及び受信器１１２は、基地局１５０及び他のＭ２Ｍ機器と信号を送信及び受信するように構成され、プロセッサ１２０は、送信器１１１及び受信器１１２と機能的に接続して、送信器１１１及び受信器１１２が他の機器と信号を送受信する過程を制御するように構成されるとよい。また、プロセッサ１２０は、伝送すべき信号に対する各種処理を行ったのち送信器１１１に伝送し、且つ受信器１１２が受信した信号に対する処理を行えばよい。必要な場合、プロセッサ１２０は、交換したメッセージに含まれた情報をメモリー１３０に保存してもよい。このような構造により、Ｍ２Ｍ機器１００は、以下に説明する種々の実施形態の方法を実行することができる。一方、図１には示していないが、Ｍ２Ｍ機器１００は、その機器アプリケーションタイプによって種々の追加構成を備えていてもよい。Ｍ２Ｍ機器１００が知能型計量のためのものであれば、Ｍ２Ｍ機器１００は電力測定などのための追加的な構成を備えるとよく、このような電力測定動作は、図１におけるプロセッサ１２０の制御を受けてもよく、別個に構成されたプロセッサ（図示せず）の制御を受けてもよい。
【００２９】
図１は、Ｍ２Ｍ機器１００と基地局１５０との間に通信が行われる場合を例示しているが、本発明に係るＭ２Ｍ通信方法はＭ２Ｍ機器同士に行われてもよく、この場合、それぞれの機器は、同図における各装置構成と同じ形態で、以下に説明する種々の実施形態に係る方法を実行すればよい。
【００３０】
基地局１５０の送信器１６１及び受信器１６２は、他の基地局、Ｍ２Ｍサーバー、Ｍ２Ｍ機器と信号を送信及び受信するように構成され、プロセッサ１７０は、送信器１６１及び受信器１６２と機能的に接続して、送信器１６１及び受信器１６２が他の機器と信号を送受信する過程を制御するように構成されるとよい。また、プロセッサ１７０は、伝送する信号に対する各種処理を行ったのち送信器１６１に伝送し、且つ受信器１６２が受信した信号に対する処理を行えばよい。必要な場合、プロセッサ１７０は、交換されたメッセージに含まれた情報をメモリー１３０に保存してもよい。このような構造により、基地局１５０は、以下に説明する種々の実施形態の方法を行うことができる。
【００３１】
Ｍ２Ｍ機器１１０及び基地局１５０のそれぞれのプロセッサ１２０，１７０は、それぞれ、Ｍ２Ｍ機器１１０及び基地局１５０における動作を指示（例えば、制御、調整、管理など）する。それぞれのプロセッサ１２０，１７０は、プログラムコード及びデータを保存するメモリー１３０，１８０に接続すればよい。メモリー１３０，１８０は、プロセッサ１２０，１７０に接続してオペレーティングシステム、アプリケーション、及び一般ファイル（ｇｅｎｅｒａｌ  ｆｉｌｅｓ）を保存する。
【００３２】
プロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれてもよい。一方、プロセッサ１２０，１７０は、ハードウェア（ｈａｒｄｗａｒｅ）、ファームウェア（ｆｉｒｍｗａｒｅ）、ソフトウェア、又はこれらの結合により実現可能である。ハードウェアを用いて本発明の実施例を実現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１２０，１７０に設けられるとよい。
【００３３】
一方、ファームウェアやソフトウェアを用いて本発明の実施例を実現する場合には、本発明の機能又は動作を行うモジュール、手順又は関数などを含むようにファームウェアやソフトウェアが構成されるとよく、本発明を実行するように構成されたファームウェア又はソフトウェアは、プロセッサ１２０，１７０内に設けられたりメモリー１３０，１８０に保存されて、プロセッサ１２０，１７０により駆動されればよい。
【００３４】
以下にいう遊休モード（Ｉｄｌｅ  Ｍｏｄｅ）とは、端末の電力を節約するために、端末と基地局間のシグナリングを用いて、基地局が承認したページンググループ（Ｐａｇｉｎｇ  Ｇｒｏｕｐ）、ページングサイクル（Ｐａｇｉｎｇ  Ｃｙｃｌｅ）、ページングオフセット（Ｐａｇｉｎｇ  Ｏｆｆｓｅｔ）を運用するモードを指す。すなわち、端末が広範囲な地域にわたって複数の基地局がある無線リンク環境を歩き回っても、特定基地局に登録することなく周期的にダウンリンクブロードキャスト（ｂｒｏａｄｃａｓｔ）メッセージを受信し得るメカニズムである。
【００３５】
遊休モードは、ハンドオーバー（ｈａｎｄｏｖｅｒ、ＨＯ）だけでなく、全ての正規動作（ｎｏｒｍａｌ  ｏｐｅｒａｔｉｏｎ）を停止し、一定区間でのみ、ブロードキャストメッセージであるページングメッセージ（ｐａｇｉｎｇ  ｍｅｓｓａｇｅ）を受信し得るようにダウンリンク同期（ｄｏｗｎｌｉｎｋ  ｓｙｎｃｈｒｏｎｉｚａｔｉｏｎ）のみを取っておいた状態である。ページングメッセージは、端末にページング動作（ｐａｇｉｎｇａ  ｃｔｉｏｎ）を指示するメッセージである。例えば、ページング動作には、レンジング実行、ネットワーク再進入（ｎｅｔｗｏｒｋ  ｒｅｅｎｔｒｙ）などがある。
【００３６】
遊休モードは、端末により開始されることも、基地局により開始されることもある。すなわち、端末は、登録解除要請（ＤＲＥＧ−ＲＥＱ）メッセージを基地局に伝送し、それに対する応答として登録解除応答（ＤＲＥＧ−ＲＳＰ）メッセージを基地局から受信することによって、遊休モードに進入することができる。また、基地局が端末に非要請の登録解除応答（ＤＲＥＧ−ＲＳＰ）メッセージ又は登録解除命令（ＤＲＥＧ−ＣＭＤ）メッセージを伝送することによって、遊休モードに進入することもできる。
【００３７】
遊休モードにおいて端末が利用可能区間（Ａｖａｉｌａｂｌｅ  Ｉｎｔｅｒｖａｌ：ＡＩ）で自身に該当するページングメッセージ（ｐａｇｉｎｇ  ｍｅｓｓａｇｅ）を受信すると、基地局とのネットワークエントリー過程により接続モード（ｃｏｎｎｅｃｔｅｄ  ｍｏｄｅ）に切り替え、データを送受信する。
【００３８】
遊休状態（Ｉｄｌｅ  Ｓｔａｔｅ）又は遊休モード（Ｉｄｌｅ  Ｍｏｄｅ）動作とは、一般に、端末が、多重基地局で構成された無線リンク環境を移動する際、特定基地局に登録しなくてもダウンリンクブロードキャストトラフィック伝送を周期的に行えるように支援する動作のことを指す。端末は、一定時間の間に基地局からトラフィック（ｔｒａｆｆｉｃ）を受信しない場合、電力を節約（Ｐｏｗｅｒ  ｓａｖｉｎｇ）するために遊休状態に遷移することができる。遊休モードに遷移した端末は、利用可能区間（Ａｖａｉｌａｂｌｅ  Ｉｎｔｅｒｖａｌ、ＡＩ）において、基地局が放送する放送メッセージ（例えば、ページングメッセージ）を受信し、正規モード（ｎｏｒｍａｌ  ｍｏｄｅ）に遷移するか、又は遊休状態を維持するかを判断すればよい。
【００３９】
遊休状態は、ハンドオーバーに関する活性要求及び一般的な運営要求を除去することによって、端末にいい結果をもたらすことができる。遊休状態は、端末活動を離散周期でスキャニングするように制限することによって、端末が使用する電力及び運用リソースを節約することもできる。また、遊休状態は、端末にペンディング（ｐｅｎｄｉｎｇ）中のダウンリンクトラフィックについて知らせ得る簡単で適切な方式を提供し、非活動的な端末から無線インターフェース及びネットワークハンドオーバー（ＨＯ）トラフィックを除去することによって、ネットワーク及び基地局にいい結果をもちらすこともできる。
【００４０】
ページングとは、移動通信において着信呼の発生時に、該当する端末の位置（例えば、どの基地局か又はどの交換局かなど）を把握する機能のことを指す。遊休状態又は遊休モードを支援する複数の基地局は、特定ページンググループ（Ｐａｇｉｎｇ  Ｇｒｏｕｐ）に属してページング領域を構成することができる。このとき、ページンググループは論理的なグループを指す。ページンググループの目的は、端末をターゲット（ｔａｒｇｅｔ）とするトラフィックがある場合に、ダウンリンクでページ（ｐａｇｅ）されうる隣接範囲領域を提供することにある。ページンググループは、特定端末が同一のページンググループ内で大部分の時間存在し得る程度に十分に大きく、且つページング負荷が適度のレベルを維持するように十分に小さいべきである、という条件を満たすように構成されることが好ましい。
【００４１】
ページンググループは一つ以上の基地局を含み、一つの基地局は一つ又はそれ以上のページンググループに含まれてよい。ページンググループは管理システムで定義する。ページンググループではページンググループ−実行（ａｃｔｉｏｎ）バックボーン網メッセージを用いることができる。また、ページング制御器は、バックボーン網メッセージの一つであるページング公知（ｐａｇｉｎｇ−ａｎｎｏｕｎｃｅ）メッセージを用いて、遊休状態にある端末のリストを管理し、ページンググループに属する全ての基地局の初期ペイジングを管理することができる。
【００４２】
遊休モード（ｉｄｌｅ  ｍｏｄｅ）でのペイジングは、説明の便宜のために、ＩＥＥＥ  ８０２．１６システムを基準にして説明するが、これに本発明の技術的思想が限定されるものではない。端末は、遊休モードに進入するために、基地局との登録解除を要請するための登録解除要請（ＤＲＥＧ−ＲＥＱ）メッセージを基地局に伝送する。すると、基地局は、当該ＤＲＥＧ−ＲＥＱメッセージに対する応答として登録解除応答（ＤＲＥＧ−ＲＳＰ）メッセージを端末に伝送する。この時、ＤＲＥＧ−ＲＳＰメッセージはページング情報（Ｐａｇｉｎｇ  Ｉｎｆｏｒｍａｔｉｏｎ）を含む。一方、端末の遊休モードへの進入は基地局の要請によって開始されてもよい。この場合、基地局は端末にＤＲＥＧ−ＲＳＰメッセージを伝送する。
【００４３】
上記ページング情報（Ｐａｇｉｎｇ  Ｉｎｆｏｒｍａｔｉｏｎ）は、ページング周期（Ｐａｇｉｎｇ  Ｃｙｃｌｅ）、ページングオフセット（Ｐａｇｉｎｇ  Ｏｆｆｓｅｔ）、ページンググループ識別子（ＰＧＩＤ：Ｐａｇｉｎｇ  ＧｒｏｕｐＩ  Ｄｅｎｔｉｆｉｅｒ）、及びページング聴取区間（Ｐａｇｉｎｇ  Ｌｉｓｔｅｎｉｎｇ  Ｉｎｔｅｒｖａｌ）値などを含むとよい。
【００４４】
基地局からＤＲＥＧ−ＲＳＰメッセージを受信した端末は、ページング情報を参照して遊休モードに進入する。遊休モードは、ページング周期（Ｐａｇｉｎｇ  Ｃｙｃｌｅ）を有し、一つのページング周期は、利用可能区間（Ａｖａｉｌａｂｌｅ  Ｉｎｔｅｒｖａｌ）及び利用不可区間（Ｕｎａｖａｉｌａｂｌｅ  Ｉｎｔｅｒｖａｌ）で構成されるとよい。ここで、利用可能区間は、ページング聴取区間又はページング区間（ｐａｇｉｎｇ  ｉｎｔｅｒｖａｌ）と同じ概念である。ページングオフセットは、ページング周期内でページング区間が始まる時点（一例として、フレーム又はサブフレーム）を表すのに用いられる。また、ページンググループ識別子は、端末に割り当てられたページンググループの識別子を表す。また、ページング情報は、ページングメッセージオフセット（ｐａｇｉｎｇ  ｍｅｓｓａｇｅ  ｏｆｆｓｅｔ）情報を含んでもよい。ここで、ページングメッセージオフセット情報は、基地局からページングメッセージが伝送される時点を表す。その後、端末はページング情報を用いて利用可能区間（或いは、ページング聴取期間（Ｐａｇｉｎｇ  ｌｉｓｔｅｎｉｎｇ  ｉｎｔｅｒｖａｌ））で、自身に伝達されるページングメッセージを受信すればよい。ここで、ページングメッセージは、基地局又はページング制御器から伝送されるとよい。すなわち、端末は、ページングメッセージを受信するためにページング周期に従って無線チャネルをモニタする。
【００４５】
遊休モードにある端末は、自身のページング聴取区間でページングメッセージを受信し、自身に伝達されるダウンリンク（ＤＬ）データがあるか確認する。もし、ダウンリンクデータがあれば（すなわち、ｐｏｓｉｔｉｖｅ  ｉｎｄｉｃａｔｉｏｎ）、端末は、レンジング（ｒａｎｇｉｎｇ）過程を含むネットワーク再進入（ｎｅｔｗｏｒｋ  ｒｅｅｎｔｒｙ）過程を行う。その後、ＤＳＡ（Ｄｙｎａｍｉｃ  Ｓｅｒｖｉｃｅ  Ａｄｄｉｔｉｏｎ）過程により、関連のダウンリンクサービスフローに対する接続を設定する過程を行う。該サービスフローに対する接続が設定された後、基地局は端末に、当該サービスに関するダウンリンクデータを伝送する。
【００４６】
以下では説明の便宜のためにＩＥＥＥ  ８０２．１６ｅ、１６ｍ、１６ｐシステムを基準にして説明する。しかし、本発明の技術的思想がこれに限定されるものではない。
【００４７】
端末は、遊休モードに進入するために、基地局との登録解除を要請するための登録解除要請（ＤＲＥＧ−ＲＥＱ）メッセージを基地局に伝送する。すると、基地局は、ＤＲＥＧ−ＲＥＱメッセージに対する応答として登録解除応答（ＤＲＥＧ−ＲＳＰ）メッセージを端末に伝送する。この時、ＤＲＥＧ−ＲＳＰメッセージはページング情報（Ｐａｇｉｎｇ  Ｉｎｆｏｒｍａｔｉｏｎ）を含む。一方、端末の遊休モードへの進入は、基地局の要請によって開始されてもよい。この場合、基地局は端末にＤＲＥＧ−ＲＳＰメッセージを伝送する。
【００４８】
上記ページング情報（Ｐａｇｉｎｇ  Ｉｎｆｏｒｍａｔｉｏｎ）は、ページング周期（Ｐａｇｉｎｇ  Ｃｙｃｌｅ）、ページングオフセット（Ｐａｇｉｎｇ  Ｏｆｆｓｅｔ）、ページンググループ識別子（ＰＧＩＤ：Ｐａｇｉｎｇ  Ｇｒｏｕｐ  ＩＤｅｎｔｉｆｉｅｒ）及びページング聴取区間（Ｐａｇｉｎｇ  Ｌｉｓｔｅｎｉｎｇ  Ｉｎｔｅｒｖａｌ）値などを含むとよい。基地局からＤＲＥＧ−ＲＳＰメッセージを受信した端末は、ページング情報を参照して遊休モードに進入する。
【００４９】
遊休モードは、ページング周期（Ｐａｇｉｎｇ  Ｃｙｃｌｅ）を有し、一つのページング周期は、利用可能区間（Ａｖａｉｌａｂｌｅ  Ｉｎｔｅｒｖａｌ）及び利用不可区間（Ｕｎａｖａｉｌａｂｌｅ  Ｉｎｔｅｒｖａｌ）で構成されるとよい。ここで、利用可能区間は、ページング聴取区間又はページング区間（ｐａｇｉｎｇ  ｉｎｔｅｒｖａｌ）と同じ概念である。ページングオフセットは、ページングサイクル内でページング区間が始まる時点（一例として、フレーム又はサブフレーム）を表すのに用いられる。また、ページンググループ識別子は、端末に割り当てられたページンググループの識別子を表す。また、ページング情報は、ページングメッセージオフセット（ｐａｇｉｎｇ  ｍｅｓｓａｇｅ  ｏｆｆｓｅｔ）情報を含んでもよい。ここで、ページングメッセージオフセット情報は、基地局からページングメッセージが伝送される時点を表す。
【００５０】
その後、端末は、ページング情報を用いて、利用可能区間（すなわち、ページング聴取期間）で、自身に伝達されるページングメッセージを受信すればよい。ここで、ページングメッセージは、基地局又はページング制御器から伝送されるとよい。すなわち、端末は、ページングメッセージを受信するためにページング周期に従って無線チャネルをモニタする。
【００５１】
図２は、遊休モードでページング手順を示すフローチャートである。
【００５２】
遊休モードにある端末は、自身のページング聴取区間でページングメッセージを受信し、自身に伝達されるダウンリンク（ＤＬ）データがあるか確認する（Ｓ２１０）。もし、ダウンリンクデータがあれば（すなわち、ｐｏｓｉｔｉｖｅ  ｉｎｄｉｃａｔｉｏｎ）、端末は、レンジング（ｒａｎｇｉｎｇ）過程を含むネットワーク再進入（ｎｅｔｗｏｒｋ  ｒｅｅｎｔｒｙ）過程を行う（Ｓ２２０）。その後、ＤＳＡ（ｄｙｎａｍｉｃ  ｓｅｒｖｉｃｅ  ａｄｄｉｔｉｏｎ）過程により、関連のダウンリンクサービスフローに対する接続を設定する過程を行う（Ｓ２３０）。該サービスフローに対する接続が設定された後、基地局は端末に該当のサービスに関するダウンリンク制御情報及びダウンリンクデータを伝送する（Ｓ２４０）。
【００５３】
Ｍ２Ｍシナリオにおいて、大部分のＭ２Ｍ機器（ｄｅｖｉｃｅ）は、携帯電話などの既存の端末と違い、ユーザーが持ち歩く端末でないから、Ｍ２Ｍ機器に対する自動アプリケーション（ａｕｔｏｍａｔｉｃ  ａｐｐｌｉｃａｔｉｏｎ）又はファームウェアアップデート（ｆｉｒｍｗａｒｅ  ｕｐｄａｔｅ）過程がＭ２Ｍサービスシナリオにおいて主要なアプリケーション（ａｐｐｌｉｃａｔｉｏｎ）とになることがある。例えば、各機器（ｄｅｖｉｃｅ）のファームウェア（ｆｉｒｍｗａｒｅ）をアップデートするために、Ｍ２Ｍサーバーは、該当のアプリケーション（ａｐｐｌｉｃａｔｉｏｎ）を持つＭ２Ｍ機器に、アップデート（ｕｐｄａｔｅ）された情報を伝送すればよい。複数の端末に共通に伝送される必要があるこのようなマルチキャストデータ（ｍｕｌｔｉｃａｓｔ  ｄａｔａ）を、遊休モードのＭ２Ｍ機器に伝送するために、図２の実施例に係る基地局は、それらＭ２Ｍ機器をページングするはずである。ペイジングされた端末は、ランダムアクセスコード（ｒａｎｄｏｍ  ａｃｃｅｓｓ  ｃｏｄｅ）の伝送を始めてネットワーク再進入（ｎｅｔｗｏｒｋ  ｒｅｅｎｔｒｙ）過程を行うことによってネットワークに接続し、基地局から伝送したダウンリンクトラフィック（ＤＬ  ｔｒａｆｆｉｃ）を受信する。これらの過程は、ネットワーク（ｎｅｔｗｏｒｋ）の無駄なリソース使用を増加させる他、端末の電力消耗を増加させる問題を招くことがある。
【００５４】
このような問題点を解決するために、本発明に係るＭ２Ｍ通信において、遊休モード（Ｉｄｌｅ  Ｍｏｄｅ）の端末に、イベントトリガリング（ｅｖｅｎｔ  ｔｒｉｇｇｅｒｅｄ）方式で生成されるマルチキャストデータを伝送する時、ページング（ｐａｇｉｎｇ）方法を用いて遊休モード（ｉｄｌｅ  ｍｏｄｅ）のＭ２Ｍ機器がマルチキャストデータを效率よく受信できるようにする方法を提供する。
【００５５】
図３は、本発明の一実施例に係るＭ２Ｍ機器と基地局間のマルチキャストデータ伝送の例を示す図である。
【００５６】
図３を参照すると、基地局は、Ｍ２ＭマルチキャストデータをＭ２Ｍ機器に伝送する前に、これらＭ２Ｍ機器に、ページング聴取区間で、マルチキャストトラフィック指示（すなわち、マルチキャストデータが伝送されることを指示）を含むページングメッセージを伝送する（Ｓ３１０）。この時、ページングメッセージのＡｃｔｉｏｎ  ｃｏｄｅは、マルチキャストトラフィック指示（例えば、０ｂ１０）を示し、該当するＭ２Ｍグループ識別子（ＭＧＩＤ）を含める。Ｍ２Ｍ機器は、ページングメッセージを受信すると、ページングメッセージのグループページング部分から、自身にあらかじめ割り当てられたＭ２ＭグループＩＤ（ＭＧＩＤ）が含まれているか否か確認し、仮に、自身に割り当てられたＭＧＩＤが含まれており、且つ対応するＡｃｔｉｏｎ  ｃｏｄｅが０ｂ１０であると、Ｍ２Ｍ機器のプロセッサ１２０は、ＭＧＩＤが示すグループに対してマルチキャストトラフィック（データ）が伝送されると判断し、遊休モードを終了しないでマルチキャストトラフィックを受信するべく待機するように制御すればよい。この場合、自身のページング利用不可区間（ｕｎａｖａｉｌａｂｌｅ  ｉｎｔｅｒｖａｌ）でもＭ２Ｍ機器のプロセッサ１２０は、マルチキャストデータを受信する動作（ダウンリンク制御チャネル及びマルチキャストデータデコーディング）を行うように制御する。
【００５７】
基地局がページングメッセージを伝送した直後にマルチキャストデータを伝送できないとすれば、基地局はページングメッセージに、該当のＭ２ＭグループＩＤ（ＭＧＩＤ）に対するマルチキャスト伝送開始（ｍｕｌｔｉｃａｓｔ  ｔｒａｎｓｍｉｓｓｉｏｎ  ｓｔａｒｔ  ｔｉｍｅ、ＭＴＳＴ）に関する情報を含めて伝送すればよい。
【００５８】
Ｍ２Ｍ機器が自身のページング聴取区間でページングメッセージ（例えば、ＡＡＩ−ＰＡＧ−ＡＤＶメッセージ）を受信すると、Ｍ２Ｍ機器のプロセッサ１２０は、マルチキャストトラフィック指示（Ａｃｔｉｏｎ  ｃｏｄｅ＝０ｂ１０）、及び自身に割り当てられたＭ２ＭグループＩＤ（ＭＧＩＤ）があるか確認する。仮に、マルチキャストトラフィックが伝送されることを知らせるマルチキャストトラフィック指示が含まれていると、Ｍ２Ｍ機器のプロセッサ１２０は、ページングメッセージにマルチキャスト伝送開始時間情報が含まれているか確認する。マルチキャスト伝送開始時間情報がページングメッセージに含まれていると、Ｍ２Ｍ機器のプロセッサ１２０は、マルチキャスト伝送開始時間が示すフレームになるまでは電力消耗を減らすためにパワーダウン（ｐｏｗｅｒ  ｄｏｗｎ）動作を行うように制御すればよい。すなわち、Ｍ２Ｍ機器のプロセッサ１２０は、ＭＴＳＴが示すフレームからマルチキャストデータを受信する動作を行うように制御する。Ｍ２Ｍ機器は、ＭＴＳＴが示すフレームでマルチキャストデータを受信する（Ｓ３２０）。
【００５９】
下記の表１は、ページングメッセージ（例えば、ＡＡＩ−ＰＡＧ−ＡＤＶメッセージ）フォーマットの一例を示すものである。
【００６０】
【表１】
2014506772.tif 000003
【００６１】
表１を参照すると、ページングメッセージは、ネットワーク再進入、位置更新、マルチキャスト又はトラフィック受信などを指示するアクションコード（Ａｃｔｉｏｎ  ｃｏｄｅ）を含んでいる。アクションコードが０ｂ１０とマルチキャストトラフィック受信を指示する場合に、ページングメッセージは、マルチキャスト伝送開始時間に関する情報であるマルチキャスト伝送開始時間（ＭＴＳＴ）フィールドを含むことができる。マルチキャスト伝送開始時間は、基地局がＭ２Ｍ機器にマルチキャスト伝送を始める時間（フレーム、サブフレーム、又はスーパーフレーム単位）に関する情報である。ＭＴＳＴフィールドは、例えば、８ビットサイズであって、ダウンリンクマルチキャストデータを伝送し始めるフレーム番号の最下位ビット（Ｌｅａｓｔ  Ｓｉｇｎｉｆｉｃａｎｔ  Ｂｉｔ、ＬＳＢ）を示すとよい。
【００６２】
図４は、本発明の一実施例に係るＭ２Ｍ機器と基地局間のマルチキャストデータ伝送の他の例を示す図である。
【００６３】
上述した通り、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することがある（Ｓ４１０）。このとき、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストトラフィックを受信するべく待機するように制御し、Ｍ２Ｍ機器は、マルチキャストトラフィックを受信すればよい（Ｓ４２０）。
【００６４】
このようなシナリオにおいて、Ｍ２Ｍ機器は、マルチキャストデータが基地局からいつまで伝送されるか計らず、次のページング聴取区間までマルチキャストデータを受信する動作を行うしかない。マルチキャストデータがファームウェアアップデートのように小さいサイズのデータであると、基地局が実際にマルチキャストデータを伝送するのにはあまり時間がかからない。これは、遊休モードＭ２Ｍ機器の電力消耗を増加させる問題を発生させるだけである。特に、ページング後、基地局がまもなく小さいマルチキャストデータを伝送する場合にも、Ｍ２Ｍ機器のプロセッサ１２０は、次のページング聴取区間まで待つように（あるいは待機するように）Ｍ２Ｍ機器を制御する。
【００６５】
また、Ｍ２Ｍアプリケーション特性の上、特定Ｍ２Ｍ機器は、長いページングサイクル（ｌｏｎｇ  ｐａｇｉｎｇ  ｃｙｃｌｅ）が適用されることがあり、この場合、Ｍ２Ｍ機器の電力消耗の増加幅はより大きくなる。例えば、既存のＩＥＥＥ  ８０２．１６ｍシステムのページングサイクルが最大５１２スーパーフレームと定義され、Ｍ２Ｍ機器のためのシステム（例えば、ＩＥＥＥ  ８０２．１６ｐシステム）ではページングサイクルの最大値は、例えば、４１９４３０４スーパーフレームと定義されることがある。
【００６６】
このような遊休モードＭ２Ｍ機器が無駄に電力を消耗する問題を解決するための方法を、図５を参照して説明する。
【００６７】
図５Ａ及び図５Ｂは、本発明の一実施例に係るＭ２Ｍ機器と基地局間のマルチキャストデータ伝送の他の例を示す図である。
【００６８】
図５Ａ及び図５Ｂを参照すると、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することがある。このとき、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストトラフィックを受信するべく待機するように制御し、Ｍ２Ｍ機器は、マルチキャストトラフィックを受信すればよい。
【００６９】
基地局は、下記のような条件でマルチキャスト伝送終了信号（ＭＴＥ  ｓｉｇｎａｌｉｎｇ）を送ることができる。
【００７０】
１）条件１：基地局が自身の送信バッファー（ＴＸ  ｂｕｆｆｅｒ）に該当のマルチキャストグループ／マルチキャスト接続（ｍｕｌｔｉｃａｓｔ  ｇｒｏｕｐ／ｍｕｌｔｉｃａｓｔ  ｃｏｎｎｅｃｔｉｏｎ）に対する最後のデータを有する場合
２）条件２：基地局が、ネットワークにおけるあるエンティティ（ｅｎｔｉｔｙ）から該当のマルチキャストグループ／マルチキャスト接続に対してデータ伝送が終わったという信号を受信した場合
３）条件３：基地局が特定マルチキャストグループに対するデータをＭ２Ｍ機器に伝送した後、特定時間内にネットワークから同じグループに属したデータを受信できなかった場合。すなわち、特定時間の間に送信バッファー（ＴＸ  ｂｕｆｆｅｒ）が同じマルチキャストデータを有していない場合
図５Ａに示すように、基地局は、マルチキャストデータが全て伝送されたと判断した時は、マルチキャストデータ伝送の終了を知らせる信号（例えば、ＭＴＥ（Ｍｕｌｔｉｃａｓｔ  Ｔｒａｎｓｍｉｓｓｉｏｎ  Ｅｎｄ）信号）を別途にＭ２Ｍ機器に伝送してもよい。遊休モードにあるＭ２Ｍ機器がマルチキャストデータを受信している中で、基地局からマルチキャストデータ伝送の終了を知らせる信号を受信すると、直ちにＭ２Ｍ機器のプロセッサ１２０はページング利用不可区間（ｐａｇｉｎｇ  ｕｎａｖａｉｌａｂｌｅ  ｉｎｔｅｒｖａｌ）に入り、電力消耗を減らす動作を行えばよい。
【００７１】
条件１の場合、図５Ｂに示すように、基地局は、自身のバッファーにおける最後のデータを伝送する時点に、最後のデータと共にＭＴＥ信号をＭ２Ｍ機器に伝送することができる。条件２でも、基地局がネットワークエンティティからマルチキャストデータを受信する中で、データ伝送終了を知らせる信号を共に受信すると、基地局は、該当のマルチキャストデータを伝送する時、ＭＴＥ信号を併せてＭ２Ｍ機器に伝送することができる。このように、基地局がＭＴＥ信号をマルチキャストデータと共に伝送する場合には、マルチキャストデータにピギーバック（ｐｉｇｇｙｂａｃｋ）したり連続するようにして（ｃｏｎｃａｔｅｎａｔｉｏｎ）ＭＴＥ信号を伝送すればよい。ピギーバックして伝送する場合には、サブヘッダー（ｓｕｂｈｅａｄｅｒ）や拡張ヘッダー（Ｅｘｔｅｎｄｅｄ  ｈｅａｄｅｒ）フォーマットで伝送すればよい。
【００７２】
図６は、本発明の一実施例に係るＭ２Ｍ機器と基地局間のマルチキャストデータ伝送の他の例を示す図である。
【００７３】
図６を参照すると、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することがある（Ｓ６１０）。この時、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストトラフィックを受信するべく待機するように制御し、Ｍ２Ｍ機器は、マルチキャストトラフィックを受信すればよい（Ｓ６２０乃至Ｓ６３０）。その後、基地局は、最後のマルチキャストデータとマルチキャストデータ伝送の終了を知らせる信号（例えば、ＭＴＥ（Ｍｕｌｔｉｃａｓｔ  Ｔｒａｎｓｍｉｓｓｉｏｎ  Ｅｎｄ）信号）とをＭ２Ｍ機器に併せて伝送すればよい（Ｓ６４０）。ここで、ＭＴＥ信号は、下記の表２のようにマルチキャスト伝送終了拡張ヘッダー（Ｍｕｌｔｉｃａｓｔ  ｔｒａｎｓｍｉｓｓｉｏｎ  ｅｎｄ  ｅｘｔｅｎｄｅｄ  ｈｅａｄｅｒ、ＭＴＥＥＨ）フォーマットで伝送されるとよい。下記の表２に、ＭＴＥＥＨフォーマットの一例を表す。
【００７４】
【表２】
2014506772.tif 000004
【００７５】
表２を参照すると、ＭＴＥＥＨフォーマットは、タイプ（ｔｙｐｅ）フィールドを用いてマルチキャスト伝送が終わったことを示し、どのようなマルチキャスト情報であるかを表すために、関連したマルチキャスト接続に対するＭ２ＭグループＩＤ及びＦＩＤなどのうち一つ以上を含めばよい。また、ＭＴＥＥＨフォーマットは、Ｍ２Ｍ機器がＭＴＥＥＨを受信していつから以前遊休モードパラメータを用いて遊休モードを再開できるかを示す遊休モード再開開始フレーム（ｉｄｌｅ  ｍｏｄｅ  ｒｅｓｕｍｉｎｇ  ｓｔａｒｔ  ｆｒａｍｅ）情報を含むことができる。すなわち、遊休モード再開開始フレームフィールドが示すフレームが以前遊休モードパラメータを使用したとき、Ｍ２Ｍ機器のページング利用不可区間であれば、Ｍ２Ｍ機器は電力消耗を減らすために利用不可区間に入り、電力消耗を減らす動作を行えばよい。遊休モード再開開始フレーム情報が含まれていないと、Ｍ２Ｍ機器は直ちに利用不可区間に入ることとなる。このとき、遊休モード再開開始フレームフィールドは、以前の遊休モードパラメータを使用することによって遊休モードを再開するＭ２Ｍ機器のフレーム番号の最下位ビット（例えば、４ビット）を指示することができる。
【００７６】
このＭＴＥＥＨは、ＩＥＥＥ  ８０２．１６ｅシステムではサブヘッダー形態（すなわち、ＭＴＥサブヘッダー）又は拡張サブヘッダー（すなわち、ＭＴＥ拡張サブヘッダー）形態で使用されればよく、含まれる情報は類似であろう。この場合、ＦＩＤに代えてＣＩＤ（Ｃｏｎｎｅｃｔｉｏｎ  ＩＤｅｎｔｉｆｉｅｒ）が含まれるだろう。
【００７７】
図７は、本発明の一実施例に係るＭ２Ｍ機器と基地局間のマルチキャストデータ伝送の他の例を示す図である。
【００７８】
図７を参照すると、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することがある（Ｓ７１０）。この時、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストトラフィックを受信するべく待機するように制御し、Ｍ２Ｍ機器は、マルチキャストトラフィックを受信すればよい（Ｓ７２０乃至Ｓ７３０）。その後、基地局は、最後のマルチキャストデータをＭ２Ｍ機器に伝送した後（Ｓ７４０）、マルチキャストデータ伝送終了指示を、ＭＡＣ制御メッセージの一種であるＡＡＩ−ＭＴＥ−ＩＮＤメッセージ又はマルチキャスト伝送終了指示ヘッダーを用いてＭ２Ｍ機器に知らせればよく、この時、ＡＡＩ−ＭＴＥ−ＩＮＤメッセージ又はマルチキャスト伝送終了指示ヘッダーは、Ｍ２ＭグループＩＤ、ＦＩＤを含むことができる（Ｓ７５０）。Ｍ２Ｍ機器が、マルチキャストデータ伝送が終了したことを知らせる指示子を受信すると、以降、Ｍ２Ｍ機器のプロセッサ１２０は、Ｍ２Ｍ機器が利用不可区間に入るように制御する。
【００７９】
このように、上述した条件３のような時点で基地局はマルチキャスト伝送終了（ＭＴＥ）信号をＭ２Ｍ機器に送る時、ＭＡＣ制御メッセージ形態やシグナリングヘッダー形態で伝送すればよい。下記の表３に、ＭＴＥ信号を伝達するＭＡＣ制御メッセージの一種であるＡＡＩ−ＭＴＥ−ＩＮＤメッセージフォーマットの一例を表す。
【００８０】
【表３】
2014506772.tif 000005
【００８１】
表３を参照すると、表２と同様に、ＡＡＩ−ＭＴＥ−ＩＮＤ  ＭＡＣ制御メッセージフォーマットには、Ｍ２ＭグループＩＤフィールド、ＦＩＤフィールド及び遊休モード再開開始フレームフィールドなどが含まれてよい。Ｍ２Ｍ機器は、ＡＡＩ−ＭＴＥ−ＩＮＤメッセージを受信すると、遊休モード再開開始フレームフィールドが指示するフレームで遊休モードに入る。
【００８２】
このＡＡＩ−ＭＴＥ−ＩＮＤメッセージは、ＩＥＥＥ  ８０２．１６ｅシステムでも類似のＭＡＣ制御メッセージとすればよく、含まれる情報は類似であろう。このとき、ＭＧＩＤやＦＩＤに代えてＣＩＤ（Ｃｏｎｎｅｃｔｉｏｎ  ＩＤｅｎｔｉｆｉｅｒ）が含まれるだろう。これを反映したＩＥＥＥ  ８０２．１６ｅシステムのＭＡＣ制御メッセージ（例えば、ＭＯＢ＿ＭＴＥ−ＩＮＤメッセージ）は、下記表４の通りである。
【００８３】
下記表４は、ＩＥＥＥ  ８０２．１６ｅシステムにおけるＭＯＢ＿ＭＴＥ−ＩＮＤメッセージの一例である。
【００８４】
【表４】
2014506772.tif 000006
【００８５】
上記表４を参照すると、ＭＯＢ＿ＭＴＥ−ＩＮＤメッセージは、ＭＧＩＤやＦＩＤに代えてＭ２Ｍ接続識別子（Ｍ２ＭＣＩＤ）フィールド、及び遊休モード再開開始フレームフィールドを含めばよい。同様に、Ｍ２Ｍ機器は、ＭＯＢ＿ＭＴＥ−ＩＮＤメッセージを受信すると、遊休モード再開開始フレームフィールドが指示するフレームで遊休モードに入る。
【００８６】
一方、ＡＡＩ−ＭＴＥ−ＩＮＤメッセージやＭＯＢ＿ＭＴＥ−ＩＮＤメッセージが放送（ｂｒｏａｄｃａｓｔ）されるとすれば、メッセージを伝送する時点に一つ以上のマルチキャスト接続（ｍｕｌｔｉｃａｓｔ  ｃｏｎｎｅｃｔｉｏｎ）に対して終了指示子を知らせる場合に、関連したＭＡＣ制御メッセージ、サブヘッダー／拡張ヘッダー、シグナリングヘッダーは、一つ以上のＭ２ＭグループＩＤ（すなわち、Ｍ２ＭグループＩＤ（ＭＧＩＤ））又はＭ２Ｍ接続識別子（Ｍ２ＭＣＩＤ）を含むとよい。
【００８７】
下記の表５及び表６は、それぞれ、マルチキャストデータ（Ｍｕｌｔｉｃａｓｔ  ｄａｔａ）伝送終了を表すＭ２ＭグループＩＤを一つ以上含むＡＡＩ−ＭＴＥ−ＩＮＤメッセージ及びＭＯＢ＿ＭＴＥ−ＩＮＤメッセージの一例を表すものである（表５はＡＡＩ−ＭＴＥ−ＩＮＤメッセージ、表６はＭＯＢ＿ＭＴＥ−ＩＮＤメッセージ）。
【００８８】
【表５】
2014506772.tif 000007
【００８９】
【表６】
2014506772.tif 000008
【００９０】
下記の表７には、ＭＴＥ信号を伝達するシグナリングヘッダーであるマルチキャスト伝送終了指示ヘッダーフォーマットの一例を示す。
【００９１】
【表７】
2014506772.tif 000009
【００９２】
表７を参照すると、マルチキャスト伝送終了指示ヘッダーフォーマットは、ＦＩＤフィールド、マルチキャスト伝送終了指示ヘッダーを示すタイプフィールド、長さを示す長さフィールド、Ｍ２ＭグループＩＤフィールド、マルチキャスト接続に対するＩＤに該当するＦＩＤを示すＦＩＤフィールド、遊休モード再開開始フレームフィールドを含むことができる。
【００９３】
このようなＡＡＩ−ＭＴＥ−ＩＮＤメッセージやマルチキャスト伝送終了指示ヘッダーは、ＩＥＥＥ  ８０２．１６システムの他、３ＧＰＰ  ＬＴＥ、ＬＴＥ−Ａシステムでも同様に適用可能である。
【００９４】
図８は、本発明の一実施例に係るＭ２Ｍ機器と基地局間のマルチキャストデータ伝送の他の例を示す図である。
【００９５】
図８を参照すると、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することがある（Ｓ８１０）。この時、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストトラフィックを受信するべく待機するように制御し、Ｍ２Ｍ機器は、マルチキャストトラフィックを受信すればよい（Ｓ８２０乃至Ｓ８３０）。その後、基地局は最後のマルチキャストデータをＭ２Ｍ機器に伝送した後（Ｓ８４０）、マルチキャストデータ伝送終了指示信号（ＭＴＥ信号）を物理層シグナリング（ＰＨＹ  ｓｉｇｎａｌｉｎｇ）の形態で伝送してもよい（Ｓ８５０）。基地局は、ダウンリンク制御チャネルであるＡ−ＭＡＰ  ＩＥの形態でＭＴＥ指示子をＭ２Ｍ機器に伝送してもよい（Ｓ８５０）。Ｍ２Ｍ機器が、マルチキャストデータ伝送が終了したことを知らせる指示子を受信すると、以降、Ｍ２Ｍ機器のプロセッサ１２０は、Ｍ２Ｍ機器が利用不可区間に入るように制御する。
【００９６】
下記の表８は、マルチキャスト伝送終了指示Ａ−ＭＡＰ  ＩＥ（Ｍｕｌｔｉｃａｓｔ  Ｔｒａｎｓｍｉｓｓｉｏｎ  Ｅｎｄ  Ｉｎｄｉｃａｔｉｏｎ  Ａ−ＭＡＰ  ＩＥ）フォーマットの一例を示すものである。
【００９７】
【表８】
2014506772.tif 000010
【００９８】
表８を参照すると、マルチキャスト伝送終了指示Ａ−ＭＡＰ  ＩＥ（Ｍｕｌｔｉｃａｓｔ  Ｔｒａｎｓｍｉｓｓｉｏｎ  Ｅｎｄ  Ｉｎｄｉｃａｔｉｏｎ  Ａ−ＭＡＰ  ＩＥ）は、Ｍ２Ｍ機器の属したＭ２ＭグループＩＤを示すＭ２ＭグループＩＤフィールド、マルチキャスト接続に対するＩＤを示すＦＩＤフィールド、遊休モード再開開始フレームフィールドを含むことができる。マルチキャスト伝送終了指示Ａ−ＭＡＰ  ＩＥ（Ｍｕｌｔｉｃａｓｔ  Ｔｒａｎｓｍｉｓｓｉｏｎ  Ｅｎｄ  Ｉｎｄｉｃａｔｉｏｎ  Ａ−ＭＡＰ  ＩＥ）は、最後のマルチキャストデータと同じバースト（ｂｕｒｓｔ）又は同じフレーム又は以前時点で伝送されてもよい。開始フレームとは、Ｍ２Ｍ機器がマルチキャストデータ受信を中止し、利用不可区間（ｕｎａｖａｉｌａｂｌｅ  ｉｎｔｅｒｖａｌ）に入るフレームのことを指す。
【００９９】
一方、基地局は、物理層シグナリングでダウンリンク制御チャネル（例えば、Ａ−ＭＡＰ  ＩＥ形態）にＭＴＥ指示子を含めてＭ２Ｍ機器に伝送してもよい。例えば、基地局は、最後のマルチキャストデータのダウンリンクリソースを割り当てるためのＭＡＰ  ＩＥに、当該データが最後のデータであるかを示す指示子を含め、最後のデータであると、該当のビットを、例えば、１に設定することができる。このようなＭＡＰ  ＩＥの一例として放送割当Ａ−ＭＡＰ  ＩＥ（ｂｒｏａｄｃａｓｔ  ａｓｓｉｇｎｍｅｎｔ  Ａ−ＭＡＰ  ＩＥ）を挙げることができる。
【０１００】
下記の表９は、Ｍ２Ｍマルチキャストデータを伝送するための放送割当Ａ−ＭＡＰ  ＩＥの一例を表し、最後のマルチキャストデータを示す指示子（ｉｎｄｉｃａｔｏｒ）も含まれる。
【０１０１】
図９は、本発明の一実施例に係るＭ２Ｍ機器と基地局間のマルチキャストデータ伝送の他の例を示す図である。
【０１０２】
図９を参照すると、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することがある（Ｓ９１０）。この時、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストデータを受信するべく待機するように制御し、Ｍ２Ｍ機器は、マルチキャストデータと放送割当Ａ−ＭＡＰ  ＩＥ（Ｂｒｏａｄｃａｓｔ  Ａｓｓｉｇｎｍｅｎｔ  Ａ−ＭＡＰ  ＩＥ、ＢＡＡ−ＭＡＰ  ＩＥ）を受信すればよい（Ｓ９２０）。この時、放送割当Ａ−ＭＡＰ  ＩＥに含まれたＭＴＥ指示子が０に設定され、継続してマルチキャストデータが伝送されることを指示する。その後、基地局は、マルチキャストデータと放送割当Ａ−ＭＡＰ  ＩＥ（Ｂｒｏａｄｃａｓｔ  Ａｓｓｉｇｎｍｅｎｔ  Ａ−ＭＡＰ  ＩＥ、ＢＡＡ−ＭＡＰ  ＩＥ）をＭ２Ｍ機器に伝送する（Ｓ９３０）。この時にも、放送割当Ａ−ＭＡＰ  ＩＥに含まれたＭＴＥ指示子が０に設定され、継続してマルチキャストデータが伝送されることを指示すればよい。
【０１０３】
このようなマルチキャストデータ伝送を繰り返してから、基地局は、マルチキャストデータと、最後のマルチキャスト伝送であることを知らせるＭＴＥ指示子（この場合、ＭＴＥ指示子は１に設定される）を含む放送割当Ａ−ＭＡＰ  ＩＥ（Ｂｒｏａｄｃａｓｔ  Ａｓｓｉｇｎｍｅｎｔ  Ａ−ＭＡＰ  ＩＥ、ＢＡＡ−ＭＡＰ  ＩＥ）とをＭ２Ｍ機器に伝送する（Ｓ９４０）。マルチキャストデータと、最後のマルチキャスト伝送であることを知らせるＭＴＥ指示子を含む放送割当Ａ−ＭＡＰ  ＩＥとを受信したＭ２Ｍ機器は、再び遊休モードに入る。
【０１０４】
下記の表９は、放送割当Ａ−ＭＡＰ  ＩＥの一例を表すものである。
【０１０５】
【表９】
2014506772.tif 000011
【０１０６】
表９を参照すると、放送割当Ａ−ＭＡＰ  ＩＥ（Ｂｒｏａｄｃａｓｔ  ａｓｓｉｇｎｍｅｎｔ  Ａ−ＭＡＰ  ＩＥ）は、Ａ−ＭＡＰ  ＩＥタイプを指示するＡ−ＭＡＰ  ＩＥ  ｔｙｐｅフィールド、この放送割当Ａ−ＭＡＰ  ＩＥの機能を示すＦｕｎｃｔｉｏｎ  ｉｎｄｅｘフィールドを含むことができ、このＦｕｎｃｔｉｏｎ  ｉｎｄｅｘフィールドが、Ｍ２Ｍアプリケーションのためのマルチキャスト割当Ａ−ＭＡＰ  ＩＥであるということを示す場合に、マルチキャストデータのリソース割当のための情報（例えば、バーストサイズ（ｂｕｒｓｔ  ｓｉｚｅ）フィールド、リソースインデックス（ｒｅｓｏｕｒｃｅ  ｉｎｄｅｘ）フィールド、ｌｏｎｇ＿ＴＴＩ＿Ｉｎｄｉｃａｔｏｒフィールドなど）、マルチキャスト伝送終了指示子（すなわち、最後のマルチキャストデータが伝送されることを知らせる指示子）（Ｍｕｌｔｉｃａｓｔ  ｔｒａｎｓｍｉｓｓｉｏｎ  ｅｎｄ  ｉｎｄｉｃａｔｏｒ）フィールド、及びＭ２ＭグループＩＤを示すＭ２ＭグループＩＤフィールドをさらに含むことができる。
【０１０７】
最後のマルチキャストデータ伝送において放送割当Ａ−ＭＡＰ  ＩＥのマルチキャスト伝送終了指示子（Ｍｕｌｔｉｃａｓｔ  ｔｒａｎｓｍｉｓｓｉｏｎ  ｅｎｄ  ｉｎｄｉｃａｔｏｒ）フィールドは１に設定され、Ｍ２Ｍ機器が、マルチキャスト伝送終了指示子フィールドが１に設定された放送割当Ａ−ＭＡＰ  ＩＥを受信すると、最後のマルチキャストデータを受信し、直ちに遊休モード又は利用不可区間（ｕｎａｖａｉｌａｂｌｅ  ｉｎｔｅｒｖａｌ）に入る。この方法は、マルチキャスト伝送終了指示子がＭＡＣ制御メッセージや拡張されたヘッダー形態で伝送される時に比べて、Ｍ２Ｍ機器がマルチキャストデータに対するＭＰＤＵ（ＭＡＣ  ｐｒｏｔｏｃｏｌ  ｄａｔａ  ｕｎｉｔ）とマルチキャスト伝送終了指示子を含むＭＡＣ制御メッセージ又は拡張ヘッダーのデコーディングを完了するまで無駄に他のＯＦＤＭＡシンボルをバッファリングをしなくて済むという利点がある。すなわち、この場合、最後のマルチキャストデータが含まれたサブフレームまでのみＯＦＤＭＡシンボルをバッファリングし、マルチキャストデータのデコーディングが完了しなかった場合にも、次のサブフレームでＯＦＤＭＡシンボルをバッファリングしなくても良い。
【０１０８】
上述した様々なメッセージフォーマットにおいてＭ２ＭグループＩＤ（ＭＧＩＤ）のビットサイズを１２ビット又は１５ビットと記載したが、ＭＧＩＤが１２ビットと記載されたメッセージフォーマットにおいて１５ビットに変更してもよく、逆に、１５ビットと記載されたメッセージフォーマットにおいて１２ビットサイズに変更してもよい。また、ＭＧＩＤはＭ２Ｍ機器のグループを識別可能にするものであれば充分であるため、必ずしも１２ビットや１５ビットに制限されない。
【０１０９】
以上、Ｍ２Ｍ機器と基地局間のマルチキャストデータ伝送に関する様々な実施例を説明した。基地局はダウンリンクマルチキャストサービスフローを共有するＭ２Ｍ機器グループのためのマルチキャストサービスを提供することができ、基地局がＤＳＡ手順を用いてサービスフローの設定（ｅｓｔａｂｌｉｓｈｍｅｎｔ）を開始する。サービスフロー設定時に、サービスフローは、サービスフローをユニークに識別させるＭ２ＭＣＩＤで割り当てられる。Ｍ２Ｍ機器は遊休モードでこれら識別子を保有（或いは維持）していなければならない。そして、基地局は、ＤＳＡシグナルリング時にＭ２ＭＣＩＤ及びサービスフロー間のマッピングに関する情報をＭ２Ｍ機器に提供すればよく、ＤＳＣ（Ｄｙｎａｍｉｃ  Ｓｅｒｖｉｃｅ  Ｃｈａｎｇｅ）手順において又はネットワーク再進入時に、Ｍ２ＭＣＩＤアップデートＴＬＶを用いてこのマッピングを変更してもよい。
【０１１０】
基地局は、Ｍ２Ｍ機器のネットワーク再進入を要求又は要求することなく遊休モードにおけるＭ２Ｍ機器のためのマルチキャストサービスを提供することができる。基地局がダウンリンクマルチキャストデータを伝送する前に、基地局は、マルチキャストトラフィック指示を含むページングメッセージをＭ２Ｍ機器のページング聴取区間でＭ２Ｍ機器に伝送することができる。Ｍ２Ｍ機器が、ページング聴取区間で、ネットワーク再進入なしにマルチキャストトラフィック受信を指示するページングメッセージを受信すると、ページングメッセージはマルチキャスト伝送開始時間ＴＬＶを含んでおらず、Ｍ２Ｍ機器は、遊休モード終了なしにダウンリンクマルチキャストデータを受信し始める必要がある。
【０１１１】
マルチキャスト伝送開始時間ＴＬＶは、基地局がダウンリンクマルチキャストデータを伝送する時を指示するためにページングメッセージに含まれるとよい。マルチキャスト伝送開始ＴＬＶの値は、ページングメッセージ（例えば、ＭＯＢ＿ＰＡＧ−ＡＤＶメッセージ、ＡＡＩ−ＰＡＧ−ＡＤＶメッセージ）を受信するＭ２Ｍ機器の次のページング聴取区間の開始時間よりも小さい。Ｍ２Ｍ機器は、ページングメッセージ（例えば、ＭＯＢ＿ＰＡＧ−ＡＤＶメッセージ、ＡＡＩ−ＰＡＧ−ＡＤＶメッセージ）からマルチキャスト伝送開始時間ＴＬＶで指示するフレームまでパワーダウン（ｐｏｗｅｒｄｏｗｎ）動作を行えばよい。マルチキャストデータ伝送が終わると、基地局は、マルチキャスト伝送終了を知らせるメッセージ（例えば、ＭＯＢ＿ＭＴＥ−ＩＮＤメッセージ、ＡＡＩ−ＭＴＥ−ＩＮＤメッセージ）を伝送することによって、Ｍ２Ｍ機器グループにマルチキャストデータ伝送の終了を通知する。Ｍ２Ｍ機器がマルチキャスト伝送終了を知らせるメッセージ（例えば、ＭＯＢ＿ＭＴＥ−ＩＮＤメッセージ、ＡＡＩ−ＭＴＥ−ＩＮＤメッセージ）を受信すると、Ｍ２Ｍ機器はページング利用不可区間に進入すればよい。
【０１１２】
下記の表１０は、Ｍ２Ｍ機器グループページングパラメータの一例を表すものである。
【０１１３】
【表１０】
2014506772.tif 000012
【０１１４】
表１０のＭ２Ｍ機器グループページングパラメータＴＬＶは、ページングメッセージ（例えば、ＭＯＢ＿ＰＡＧ−ＡＤＶメッセージ、ＡＡＩ−ＰＡＧ−ＡＤＶメッセージ）に含まれるとよい。
【０１１５】
下記の表１１には、各Ｍ２Ｍ機器グループページングパラメータのＴＬＶに表されるＴＬＶエレメント（ｅｌｅｍｅｎｔ）を示す。
【０１１６】
【表１１】
2014506772.tif 000013
【０１１７】
下記の表１２に、上記表１１でアクションコードＴＬＶの値が０ｂ１０に設定される時の、各Ｍ２Ｍ機器グループページングパラメータＴＬＶに表されるＴＬＶエレメントを示す。
【０１１８】
【表１２】
2014506772.tif 000014
【０１１９】
基地局はブロードキャスト方式又はマルチキャスト方式を用いてマルチキャスト伝送終了を指示するために、Ｍ２Ｍ機器グループにマルチキャスト伝送終了を知らせるメッセージ（例えば、ＭＯＢ＿ＭＴＥ−ＩＮＤメッセージ又はＡＡＩ−ＭＴＥ−ＩＮＤメッセージ）を伝送し、ＭＯＢ＿ＭＴＥ−ＩＮＤメッセージ伝送のためにＭ２Ｍ管理（ｍａｎａｇｅｍｅｎｔ）ＣＩＤが用いられるとよい。マルチキャストＳＡがそれらＭ２Ｍ機器グループのために設定されると、マルチキャスト伝送終了を知らせるメッセージは、設定されたマルチキャストＳＡを用いて暗号化（ｅｎｃｒｙｐｔｉｏｎ）される。マルチキャスト伝送終了を知らせるメッセージを搬送するＭＡＣ  ＰＤＵと一緒に物理（ＰＨＹ）バーストは、ダウンリンク制御情報（例えば、ＤＬ  ＭＡＰ）においてＭ２ＭＣＩＤにより指示される。ＭＡＣ  ＰＤＵヘッダーにおいて、ＣＩＤフィールドは、Ｍ２Ｍ機器に割り当てられたＭ２ＭＣＩＤ以外の任意のＭ２ＭＣＩＤに設定され、ＥＣは、０又は１により、ＭＯＢ＿ＭＴＥ−ＩＮＤメッセージ又はＡＡＩ−ＭＴＥ−ＩＮＤメッセージが暗号化されたか否かを指示する。ＭＯＢ＿ＭＴＥ−ＩＮＤメッセージ又はＡＡＩ−ＭＴＥ−ＩＮＤメッセージが暗号化された場合に、ダウンリンク制御情報（例えば、ＤＬ  ＭＡＰ）においてＭ２ＭＣＩＤで識別されるＭ２Ｍ機器グループに対応するマルチキャストＳＡは、ＭＯＢ＿ＭＴＥ−ＩＮＤメッセージ又はＡＡＩ−ＭＴＥ−ＩＮＤメッセージを解読するのに用いられる。遊休モードにおいてＭ２Ｍ機器がＭＯＢ＿ＭＴＥ−ＩＮＤメッセージ又はＡＡＩ−ＭＴＥ−ＩＮＤメッセージを受信すると、Ｍ２Ｍ機器はページング利用不可区間に進入すればよい。
【０１２０】
下記の表１３に、ＭＯＢ＿ＭＴＥ−ＩＮＤメッセージフォーマットの一例を示す。
【０１２１】
【表１３】
2014506772.tif 000015
【０１２２】
以上ではマルチキャストデータに適用されるとしたが、ユニキャストデータ、ブロードキャストデータなどにも適用されることを排除するわけではない。また、Ｍ２Ｍ機器と基地局間のマルチキャストデータ伝送について説明しているが、ＨＴＣ（Ｈｕｍａｎ  Ｔｙｐｅ  Ｃｏｍｍｕｎｉｃａｔｉｏｎ）機器（すなわち、移動端末）にも適用されることを排除するわけではない。
【０１２３】
図１０は、本発明の一実施例に係るＭ２Ｍ機器と基地局間のマルチキャストデータ伝送のさらに他の例を示す図である。
【０１２４】
図１０を参照すると、基地局は、Ｍ２Ｍ機器にページングメッセージ（例えば、ＭＯＢ＿ＰＡＧ−ＡＤＶメッセージ、ＡＡＩ−ＰＡＧ−ＡＤＶメッセージ）を伝送するこどかできる（Ｓ１０１０）。このページングメッセージ（例えば、ＭＯＢ＿ＰＡＧ−ＡＤＶメッセージ、ＡＡＩ−ＰＡＧ−ＡＤＶメッセージ）には、マルチキャスト受信指示子（Ｍｕｌｔｉｃａｓｔ  Ｒｅｃｅｐｔｉｏｎ  Ｉｎｄｉｃａｔｏｒ、ＭＲＩ）、Ｍ２ＭＣＩＤ（或いはＭ２ＭグループＩＤ）情報、マルチキャスト伝送開始時間（Ｍｕｌｔｉｃａｓｔ  Ｔｒａｎｓｍｉｓｓｉｏｎ  Ｓｔａｒｔ  Ｔｉｍｅ、ＭＴＳＴ）情報が含まれて伝送されるとよい。ここで、ＭＲＩは、マルチキャストを受信するように指示する指示子であり、ＭＴＳＴは、マルチキャストが伝送される開始時点を指示する。
【０１２５】
その後、基地局は、Ｍ２Ｍ機器にマルチキャストデータを伝送する過程を行えばよい（Ｓ１０２０、Ｓ１０３０）。特に、遊休モードにあるＭ２Ｍ機器の少ない電力消耗のために、基地局は、マルチキャスト伝送が完了したと判断した時、ＭＯＢ＿ＭＴＥ−ＩＮＤメッセージ又はＡＡＩ−ＭＴＥ−ＩＮＤメッセージ（すなわち、マルチキャストデータ送信終了信号）をＭ２Ｍに伝送すればよい（Ｓ１０４０）。これは、Ｍ２Ｍ機器が迅速に利用不可区間に入って電力消耗を減らすようにする。すなわち、Ｍ２Ｍ機器は、基地局からのＭＯＢ＿ＭＴＥ−ＩＮＤメッセージ又はＡＡＩ−ＭＴＥ−ＩＮＤメッセージに基づいて、ＭＯＢ＿ＭＴＥ−ＩＮＤメッセージ又はＡＡＩ−ＭＴＥ−ＩＮＤメッセージを受信した時点から残りのページングサイクルまで（Ａ区間の間に）電力節約モード（ｐｏｗｅｒ  ｓａｖｉｎｇ  ｍｏｄｅ）で動作すればよい。
【０１２６】
図１１は、本発明の一実施例に係るＭ２Ｍ機器と基地局間のマルチキャストデータ伝送のさらに他の例を示す図である。
【０１２７】
図１１を参照すると、図１０と同様に、基地局は、Ｍ２Ｍ機器にページングメッセージ（例えば、ＭＯＢ＿ＰＡＧ−ＡＤＶメッセージ、ＡＡＩ−ＰＡＧ−ＡＤＶメッセージ）を伝送することができる（Ｓ１１１０）。このページングメッセージ（例えば、ＭＯＢ＿ＰＡＧ−ＡＤＶメッセージ、ＡＡＩ−ＰＡＧ−ＡＤＶメッセージ）には、マルチキャスト受信指示子（Ｍｕｌｔｉｃａｓｔ  Ｒｅｃｅｐｔｉｏｎ  Ｉｎｄｉｃａｔｏｒ、ＭＲＩ）、Ｍ２ＭＣＩＤ（或いはＭ２ＭグループＩＤ）情報、マルチキャスト伝送開始時点（Ｍｕｌｔｉｃａｓｔ  Ｔｒａｎｓｍｉｓｓｉｏｎ  Ｓｔａｒｔ  Ｔｉｍｅ、ＭＴＳＴ）情報が含まれるとよい。
【０１２８】
その後、基地局は、Ｍ２Ｍ機器にマルチキャストデータを伝送する過程を行えばよい（Ｓ１１２０、Ｓ１１３０、Ｓ１１４０）。特に、遊休モードにあるＭ２Ｍ機器の少ない電力消耗のために、基地局はマルチキャスト伝送が完了したと判断した時、ＭＯＢ＿ＭＴＥ−ＩＮＤメッセージ又はＡＡＩ−ＭＴＥ−ＩＮＤメッセージ（すなわち、マルチキャストデータ送信終了信号）をＭ２Ｍに伝送すればよい（Ｓ１１５０）。しかし、基地局からのＭＯＢ＿ＭＴＥ−ＩＮＤメッセージ又はＡＡＩ−ＭＴＥ−ＩＮＤメッセージがロース（ｌｏｓｓ）されて、Ｍ２Ｍ機器が当該メッセージを成功的に受信してデコーディングできなくなると、Ｍ２Ｍ機器には依然として無駄な電力消費が発生することがある。すなわち、最後のマルチキャスト伝送（或いは受信）時点から次のページング聴取区間まで（すなわち、Ｂ区間）無駄に電力を消費する問題がある。
【０１２９】
また、基地局がネットワークエンティティ（例えば、ＭＣＢＣＳサーバー又はＭ２Ｍサーバー）からマルチキャストデータ終了信号を受信できなかったり、又は該当のトラフィックが周期性を有するトラフィックであるから、マルチキャスト伝送終了時点が決定できない場合には、Ｍ２Ｍ機器にマルチキャストデータ伝送終了を知らせるためにＭＯＢ＿ＭＴＥ−ＩＮＤメッセージ又はＡＡＩ−ＭＴＥ−ＩＮＤメッセージを送ることができなくなる。こうなると、Ｍ２Ｍ機器のプロセッサ１２０は、次のページング聴取区間までマルチキャストデータを受信するべくアクティブ状態（ａｃｔｉｖｅ  ｓｔａｔｅ）を維持するようにＭ２Ｍ機器を制御し、Ｍ２Ｍ機器はアクティブ状態に維持されることとなる。
【０１３０】
このような問題を解決するために、本発明では、マルチキャストトラフィック受信（Ｍｕｌｔｉｃａｓｔ  Ｔｒａｆｆｉｃ  Ｒｅｃｅｐｔｉｏｎ、ＭＴＲ）タイマーを提案し、ＭＴＲタイマーを定義する。
【０１３１】
基地局は、マルチキャストデータ接続（ｃｏｎｎｅｃｔｉｏｎ）を設立するためのＤＳＡ手順において、該当のマルチキャスト接続（すなわち、Ｍ２ＭＣＩＤ）に対するマルチキャストトラフィック受信タイマーを設定し、該タイマー情報をＭ２Ｍ機器に知らせる。
【０１３２】
図１２は、基地局で開始する（ＢＳ−ｉｎｉｔｉａｔｅｄ）ＤＳＡ手順を行う一例を示す図である。
【０１３３】
図１２を参照すると、基地局がＤＳＡ手順を開始し、Ｍ２Ｍ機器に動的サービス追加要請メッセージ（例えば、ＡＡＩ−ＤＳＡ−ＲＥＱメッセージ、ＤＳＡ−ＲＥＱメッセージ）を伝送することができる（Ｓ１２１０）。この時、動的サービス追加要請メッセージ（例えば、ＤＳＡ−ＲＥＱメッセージ）にＭ２ＭＣＩＤ（或いはＭ２ＭグループＩＤ）、マルチキャストトラフィック受信タイマーが含まれて伝送されてもよい。Ｍ２Ｍ機器は、このような基地局の動的サービス追加要請に対する応答として動的サービス追加応答メッセージ（例えば、ＡＡＩ−ＤＳＡ−ＲＳＰメッセージ、ＤＳＡ−ＲＳＰメッセージ）を基地局に伝送すればよい（Ｓ１２２０）。続いて、基地局は、動的サービス追加応答メッセージ（例えば、ＤＳＡ−ＲＳＰメッセージ）に対する受信確認応答の一例としてＤＳＡ−ＡＣＫメッセージをＭ２Ｍ機器に伝送すればよい（Ｓ１２３０）。
【０１３４】
このように、基地局が開始したＤＳＡ手順において基地局は、動的サービス追加要請（例えば、ＩＥＥＥ  ８０２．１６ｅシステムではＤＳＡ−ＲＥＱ、ＩＥＥＥ  ８０２．１６ｍシステムではＡＡＩ−ＤＳＡ−ＲＥＱ）メッセージにマルチキャストトラフィック受信タイマーを含めてＭ２Ｍ機器に伝送してもよい。
【０１３５】
下記の表１４は、動的サービス追加要請／動的サービス変更要請メッセージ（例えば、ＤＳＡ−ＲＥＱ／ＤＳＣ−ＲＥＱメッセージ又はＡＡＩ−ＤＳＣ−ＲＥＱ／ＡＡＩ−ＤＳＣ−ＲＥＱ）に含まれるマルチキャストトラフィック受信タイマーの一例を表すものである。
【０１３６】
【表１４】
2014506772.tif 000016
【０１３７】
表１４を参照すると、Ｍ２Ｍマルチキャストトラフィック受信タイマー（Ｍ２Ｍ  Ｍｕｌｔｉｃａｓｔ  Ｔｒａｆｆｉｃ  Ｒｅｃｅｐｔｉｏｎ  ｔｉｍｅｒ）は、遊休モードＭ２Ｍ機器がＭ２Ｍマルチキャストデータを受信するするために待たなければならない一例として、フレーム単位（０〜２５５）の最大時間区間を表している。
【０１３８】
図１２では、基地局で開始する（ＢＳ−ｉｎｉｔｉａｔｅｄ）ＤＳＡ−ＲＥＱ／ＤＳＣ−ＲＥＱ手順を説明したが、このような手順は、Ｍ２Ｍ機器で開始する（Ｍ２Ｍ  ｄｅｖｉｃｅ−ｉｎｉｔｉａｔｅｄ）手順で行われてもよい。すなわち、Ｍ２Ｍ機器がＤＳＡ−ＲＥＱ／ＤＳＣ−ＲＥＱメッセージを伝送すると、基地局はＤＳＡ−ＲＳＰ／ＤＳＣ−ＲＳＰメッセージ又はＡＡＩ−ＤＳＡ−ＲＳＰ／ＡＡＩ−ＤＳＣ−ＲＳＰメッセージにＭＴＲタイマー情報を含めてＭ２Ｍ機器に伝達してもよい。すると、Ｍ２Ｍ機器は、受信したＭＴＲタイマー情報によってＭＴＲタイマー動作を行えばよい。
【０１３９】
図１３は、本発明の一実施例に係るＭ２Ｍ機器と基地局間のマルチキャストデータ伝送のさらに他の例を示す図である。
【０１４０】
ＤＳＡ／ＤＳＣ手順でＭ２Ｍマルチキャストトラフィック受信タイマーが割り当てられたＭ２Ｍ機器は、遊休モードでは当該タイマーを維持し、マルチキャストデータを受信し始める時、当該タイマーを使用する。遊休モードＭ２Ｍ機器がマルチキャストトラフィック受信（ＭＴＲ）タイマーを維持している中、基地局からマルチキャストトラフィック受信を指示するマルチキャスト受信指示子を含むページングメッセージ（例えば、ＭＯＢ＿ＰＡＧ−ＡＤＶメッセージ、ＡＡＩ−ＰＡＧ−ＡＤＶメッセージ）を受信することがあり（Ｓ１３１０）、この時、Ｍ２Ｍ機器のプロセッサ（１２０）は、当該タイマー（ＭＴＲタイマー）の使用を始める。ここで、ページングメッセージにはＭ２ＭＣＩＤ（或いはＭ２ＭグループＩＤ）、マルチキャスト伝送開始時間を指示する情報（ＭＴＳＴ）が含まれているとよい。
【０１４１】
このように、ページングメッセージにマルチキャストトラフィック開始時間（Ｍｕｌｔｉｃａｓｔ  Ｔｒａｆｆｉｃ  Ｓｔａｒｔ  Ｔｉｍｅ（ＭＴＳＴ））ＴＬＶが含まれていると、Ｍ２Ｍ機器のプロセッサ１２０は、ＭＴＳＴ  ＴＬＶが示す時点でＭＴＲタイマーを始動する（ＭＴＲＴ  Ｓｔａｒｔ）。この時、ＭＴＳＴ  ＴＬＶが示す時点は、マルチキャストデータを受信する時点であればよい（Ｓ１３２０）。もし、ＭＴＳＴ  ＴＬＶがページングメッセージに含まれていないと、Ｍ２Ｍ機器のプロセッサ１２０は、ページングメッセージを受信した時点からＭＴＲタイマーを始動する。
【０１４２】
ＭＴＲタイマーが終了する前に、Ｍ２Ｍ機器が、当該ＭＴＲタイマーに対応するマルチキャスト接続に対するマルチキャストデータを受信すると（Ｓ１３３０、Ｓ１３４０）、Ｍ２Ｍ機器のプロセッサ１２０は、ＭＴＲタイマーを再始動（或いはリセット）する。
【０１４３】
ＭＴＲタイマーが終了する前に、ＭＴＲタイマーにマッピングされた或いはＭＴＲタイマーに対応するマルチキャスト接続（ｃｏｎｎｅｃｔｉｏｎ）と同じ接続に対するマルチキャスト終了信号（例えば、ＭＯＢ＿ＭＴＥ−ＩＮＤメッセージ又はＡＡＩ−ＭＴＥ−ＩＮＤメッセージ）を受信すると（Ｓ１３５０）、Ｍ２Ｍ機器のプロセッサ１２０はＭＴＲタイマーを止め、Ｍ２Ｍ機器は遊休モードのページング利用不可区間に進入する。また、ＭＴＲタイマーが終了する前に、ＭＴＲタイマーにマッピングされた或いはＭＴＲタイマーに対応するマルチキャスト接続（ｃｏｎｎｅｃｔｉｏｎ）と同じ接続に対するマルチキャスト終了信号（例えば、ＭＯＢ＿ＭＴＥ−ＩＮＤメッセージ又はＡＡＩ−ＭＴＥ−ＩＮＤメッセージ）やマッピングされたマルチキャストデータを受信できないまま（ロース（Ｌｏｓｓ）などの理由で）、ＭＴＲタイマーが満了（ｅｘｐｉｒｅｄ）することがあるが、このように当該ＭＴＲタイマーが満了すると、Ｍ２Ｍ機器は遊休モードのページング利用不可区間に進入する。このようにＭ２Ｍ機器はＭＴＲタイマー終了時に遊休モードのページング利用不可区間に進入することによって、電力消費を減らすことができる。
【０１４４】
マルチキャスト伝送開始時間（ＭＴＳＴ）が当該ページングメッセージに含まれるか否か、基地局がマルチキャスト伝送終了信号（例えば、ＭＯＢ＿ＭＴＥ−ＩＮＤメッセージ又はＡＡＩ−ＭＴＥ−ＩＮＤメッセージ）（ＭＴＥ指示子とも呼ぶ。）をＭ２Ｍ機器に知らせるか否か、信頼すべきマルチキャスト伝送が支援されるか否かによって、Ｍ２Ｍ機器のプロセッサ１２０は、マルチキャストデータを受信することを終了するように制御すればよく、マルチキャストデータ受信終了を判断したＭ２Ｍ機器は、電力節約のための動作（例えば、パワーオフ（Ｐｏｗｅｒ  ｏｆｆ））を行えばよい。以下では、これらの場合について、各Ｃａｓｅ別に分けてＭ２Ｍ機器の動作を説明する。
【０１４５】
＜Ｃａｓｅ  １：信頼すべき伝送（Ｒｅｌｉａｂｌｅ  ｔｒａｎｓｍｉｓｓｉｏｎ）はｏｆｆ、ＭＴＳＴはページングメッセージに含まれなく、且つＭＴＥ指示子を使用しない場合＞
Ｍ２Ｍ機器はページングメッセージを受信してから特定期間内にマルチキャストデータを受信できないと（すなわち、ページングメッセージを受信したのちタイマーＴ１が始まり、マルチキャストデータを受信できなかったためＴ１が終了する）、Ｍ２Ｍ機器のプロセッサ１２０は直ちにマルチキャスト受信を終了し、遊休モードで動作するように制御することによって、Ｍ２Ｍ機器の電力消耗を減らすことができる。
【０１４６】
一方、Ｍ２Ｍ機器がページングメッセージを受信してから連続したマルチキャストデータを特定期間内に受信できないと（すなわち、マルチキャストデータを受信する度にタイマーＴ１がリセット（ｒｅｓｅｔ）されるが、連続したマルチキャストデータを受信できなかったためＴ１が終了する）、Ｍ２Ｍ機器のプロセッサ１２０は直ちにマルチキャスト受信を終了し、遊休モードで動作するように制御することによって、Ｍ２Ｍ機器の電力消耗を減らすことができる。
【０１４７】
すなわち、タイマーＴ１が満了（ｅｘｐｉｒｅ）すると、Ｍ２Ｍ機器のプロセッサ１２０は、マルチキャスト受信を終了し、遊休モードで動作するように制御すればよく、Ｍ２Ｍ機器は遊休モードに入る。
【０１４８】
＜Ｃａｓｅ  ２：信頼すべき伝送（Ｒｅｌｉａｂｌｅ  ｔｒａｎｓｍｉｓｓｉｏｎ）はｏｆｆ、ＭＴＳＴがページングメッセージに含まれなく、且つＭＴＥ指示子が使用される場合＞
Ｍ２Ｍ機器はページングメッセージを受信してから一定期間内にマルチキャストデータやＭＴＥ指示子を受信できないと（すなわち、ページングメッセージ受信後にタイマーＴ１を始動し、ＭＴＥ指示子を受信する前にＴ１が終了する）、Ｍ２Ｍ機器のプロセッサ１２０は直ちにマルチキャスト受信を終了し、遊休モードで動作するように制御すればよく、Ｍ２Ｍ機器は遊休モードに進入する。
【０１４９】
一方、Ｍ２Ｍ機器がページングメッセージを受信した後にダウンリンクマルチキャストデータを受信してから一定期間内に連続したマルチキャストデータやＭＴＥ指示子を受信できないと（すなわち、ページングメッセージ受信後にタイマーＴ１を始動し、ＭＴＥ指示子を受信する前にＴ１が満了する時）、Ｍ２Ｍ機器のプロセッサ１２０は、マルチキャスト受信を終了し、遊休モードで動作するように制御すればよく、Ｍ２Ｍ機器は遊休モードに進入する。
【０１５０】
ＭＴＥ指示子を受信すると、Ｍ２Ｍ機器のプロセッサ１２０は、マルチキャスト受信を終了し、遊休モードで動作するように制御することによって、Ｍ２Ｍ機器の電力消耗を減らすことができる。
【０１５１】
＜Ｃａｓｅ３：信頼すべき伝送（Ｒｅｌｉａｂｌｅ  ｔｒａｎｓｍｉｓｓｉｏｎ）はｏｆｆ、ＭＴＳＴがページングメッセージに含まれ、且つＭＴＥ指示子を使用しない場合＞
ＭＴＳＴがページングメッセージに含まれた場合に、Ｍ２Ｍ機器のプロセッサ１２０はページングメッセージを受信した後、ＭＴＳＴでタイマーＴ１を始動し、タイマーが終了するまでデータを受信できないと（すなわちタイマーＴ１が満了すると）、Ｍ２Ｍ機器のプロセッサ１２０は、マルチキャスト受信を終了し、遊休モードで動作するように制御すればよく、Ｍ２Ｍ機器は遊休モードに進入する。
【０１５２】
一方、Ｍ２Ｍ機器のプロセッサ１２０は、ページングメッセージを受信した後、ＭＴＳＴでタイマーＴ１を始動し、タイマーが満了（ｅｘｐｉｒｅ）する前にマルチキャストデータを受信したが、マルチキャストデータのＭＰＤＵ／ＭＳＤＵのシーケンス番号が異なると（ｏｕｔ  ｏｆ  ｏｒｄｅｒ）、Ｍ２Ｍ機器のプロセッサ１２０は直ちにマルチキャスト受信を終了し、遊休モードで動作するように制御すればよく、この時、Ｍ２Ｍ機器は、受信したＭＰＤＵを上位に伝送してもよい。
【０１５３】
Ｍ２Ｍ機器のプロセッサ１２０はＭＴＳＴでマルチキャストデータを受信すると、終了タイマーＴ１をリセットすればよい。Ｔ１が満了するまでマルチキャストデータを受信できないと、Ｍ２Ｍ機器のプロセッサ１２０はマルチキャスト受信を終了し、遊休モードで動作するように制御すればよく、Ｍ２Ｍ機器は遊休モードに進入する。
【０１５４】
Ｍ２Ｍ機器のプロセッサ１２０は、ＭＴＳＴでマルチキャストデータを受信すると、終了タイマーＴ１をリセットし、Ｔ１が満了する前に受信したマルチキャストデータのＭＰＤＵ／ＭＳＤＵのシーケンス番号が異なると（ｏｕｔ  ｏｆ  ｏｒｄｅｒ）、Ｍ２Ｍ機器のプロセッサ１２０はマルチキャスト受信を終了し、遊休モードで動作するように制御すればよく、Ｍ２Ｍ機器は遊休モードに進入する。
【０１５５】
＜Ｃａｓｅ４：信頼すべき伝送（Ｒｅｌｉａｂｌｅ  ｔｒａｎｓｍｉｓｓｉｏｎ）はｏｆｆ、ＭＴＳＴがページングメッセージに含まれ、且つＭＴＥ指示子を使用する場合＞
Ｍ２Ｍ機器のプロセッサ１２０はページングメッセージを受信した後、ＭＴＳＴでタイマーＴ１を始動し、タイマーＴ１が満了するまでマルチキャストデータやＭＴＥ指示子を受信できないと（すなわちタイマーＴ１が満了すると）、Ｍ２Ｍ機器のプロセッサ１２０は、マルチキャスト受信を終了し、遊休モードで動作するように制御すればよく、Ｍ２Ｍ機器は遊休モードに進入する。
【０１５６】
一方、Ｍ２Ｍ機器のプロセッサ１２０はページングメッセージを受信した後、ＭＴＳＴでタイマーＴ１を始動し、タイマーが満了（ｅｘｐｉｒｅ）する前にマルチキャストデータを受信したが、マルチキャストデータのＭＰＤＵ／ＭＳＤＵのシーケンス番号が異なると（ｏｕｔ  ｏｆ  ｏｒｄｅｒ）、Ｍ２Ｍ機器のプロセッサ１２０は直ちにマルチキャスト受信を終了し、遊休モードで動作するように制御すればよく、この時、Ｍ２Ｍ機器は、受信したＭＰＤＵを上位に伝送してもよい。
【０１５７】
ＭＴＳＴでマルチキャストデータを受信すると、Ｍ２Ｍ機器のプロセッサ１２０は終了タイマーＴ１をリセットし、Ｔ１が満了するまでマルチキャストデータを受信できないと、Ｍ２Ｍ機器のプロセッサ１２０は、マルチキャスト受信を終了し、遊休モードで動作するように制御すればよく、Ｍ２Ｍ機器は遊休モードに進入する。
【０１５８】
一方、ＭＴＥ指示子を受信すると、Ｍ２Ｍ機器のプロセッサ１２０は、マルチキャスト受信を終了し、遊休モードで動作するように制御すればよく、Ｍ２Ｍ機器は遊休モードに進入する。
【０１５９】
＜Ｃａｓｅ５：信頼すべき伝送（Ｒｅｌｉａｂｌｅ  ｔｒａｎｓｍｉｓｓｉｏｎ）はｏｎ、ＭＴＳＴがページングメッセージに含まれなく、且つＭＴＥ指示子を使用しない場合＞
Ｍ２Ｍ機器がページングメッセージを受信した後、特定期間内にマルチキャストデータを受信できないと（すなわち、ページングメッセージを受信した後タイマーＴ１を始動し、マルチキャストデータを受信できなかったためＴ１が終了する）、Ｍ２Ｍ機器のプロセッサ１２０は、マルチキャスト受信を終了し、遊休モードで動作するように制御すればよく、Ｍ２Ｍ機器は遊休モードに進入する。
【０１６０】
一方、Ｍ２Ｍ機器がページングメッセージを受信してから、連続したマルチキャストデータを特定期間内に受信できないと（すなわち、マルチキャストデータを受信する度にタイマーＴ１がリセットされ、連続したマルチキャストデータを受信できなかったためＴ１が終了する）、Ｍ２Ｍ機器のプロセッサ１２０は、マルチキャスト受信を終了し、遊休モードで動作するように制御すればよく、Ｍ２Ｍ機器は遊休モードに進入する。
【０１６１】
すなわち、タイマーＴ１が満了すると、Ｍ２Ｍ機器のプロセッサ１２０は、マルチキャスト受信を終了し、遊休モードで動作するように制御すればよく、Ｍ２Ｍ機器は遊休モードに進入する。
【０１６２】
＜Ｃａｓｅ６：信頼すべき伝送（Ｒｅｌｉａｂｌｅ  ｔｒａｎｓｍｉｓｓｉｏｎ）はｏｎ、ＭＴＳＴがページングメッセージに含まれなく、且つＭＴＥ指示子を使用する場合＞
Ｍ２Ｍ機器がページングメッセージを受信してから一定期間内にマルチキャストデータやＭＴＥ指示子を受信できないと（すなわち、ページングメッセージ受信後にタイマーＴ１を始動し、ＭＴＥ指示子を受信する前にＴ１が満了する）、Ｍ２Ｍ機器のプロセッサ１２０は直ちにエラーハンドリング（ｅｒｒｏｒ  ｈａｎｄｌｉｎｇ）動作を行うように制御すればよい。
【０１６３】
Ｍ２Ｍ機器がページングメッセージを受信した後ダウンリンクマルチキャストデータを受信してから一定期間内に連続したマルチキャストデータやＭＴＥ指示子を受信できないと（すなわち、ページングメッセージ受信後にタイマーＴ１を始動し、ＭＴＥ指示子を受信する前にＴ１が満了する時）、Ｍ２Ｍ機器のプロセッサ１２０は直ちにエラーハンドリング（ｅｒｒｏｒ  ｈａｎｄｌｉｎｇ）動作を行うように制御すればよい。
【０１６４】
Ｍ２Ｍ機器がＭＴＥ指示子を受信すると、Ｍ２Ｍ機器のプロセッサ１２０は直ちにマルチキャスト受信を終了し、遊休モードで動作するように制御すればよく、Ｍ２Ｍ機器は遊休モードに進入する。
【０１６５】
＜Ｃａｓｅ７：信頼すべき伝送（Ｒｅｌｉａｂｌｅ  ｔｒａｎｓｍｉｓｓｉｏｎ）はｏｎ、ＭＴＳＴがページングメッセージに含まれ、且つＭＴＥ指示子を使用する場合＞
Ｍ２Ｍ機器のプロセッサ１２０はページングメッセージを受信した後にＭＴＳＴでタイマーＴ１を始動し、タイマーＴ１が満了するまでマルチキャストデータやＭＴＥ指示子を受信できないと（すなわちタイマーＴ１が満了すると）、Ｍ２Ｍ機器のプロセッサ１２０は直ちにエラーハンドリング（ｅｒｒｏｒ  ｈａｎｄｌｉｎｇ）動作を行うように制御すればよい。
【０１６６】
一方、Ｍ２Ｍ機器のプロセッサ１２０はページングメッセージを受信した後にＭＴＳＴでタイマーＴ１を始動し、タイマーが満了する前にマルチキャストデータを受信したが、マルチキャストデータのＭＰＤＵ／ＭＳＤＵのシーケンス番号が異なると（ｏｕｔ  ｏｆ  ｏｒｄｅｒ）、Ｍ２Ｍ機器のプロセッサ１２０は直ちにエラーハンドリング（ｅｒｒｏｒ  ｈａｎｄｌｉｎｇ）動作を行うように制御すればよい。
【０１６７】
ＭＴＳＴでデータを受信すると、Ｍ２Ｍ機器のプロセッサ１２０は終了タイマーＴ１（ｅｎｄ  ｔｉｍｅｒ  Ｔ１）をリセットし、タイマーＴ１が満了するまでマルチキャストデータを受信できないと、Ｍ２Ｍ機器のプロセッサ１２０は直ちにエラーハンドリング（ｅｒｒｏｒ  ｈａｎｄｌｉｎｇ）動作を行うように制御すればよい。
【０１６８】
また、ＭＴＳＴでデータを受信すると、Ｍ２Ｍ機器のプロセッサ１２０は終了タイマーＴ１（ｅｎｄ  ｔｉｍｅｒ  Ｔ１）をリセットし、Ｔ１が満了する前に受信したマルチキャストデータＭＰＤＵ／ＭＳＤＵのシーケンス番号が異なると（ｏｕｔ  ｏｆ  ｏｒｄｅｒ）、Ｍ２Ｍ機器のプロセッサ１２０は直ちにエラーハンドリング（ｅｒｒｏｒ  ｈａｎｄｌｉｎｇ）動作を行うように制御すればよい。
【０１６９】
Ｍ２Ｍ機器がＭＴＥ指示子を受信すると、Ｍ２Ｍ機器のプロセッサ１２０は直ちにマルチキャスト受信を終了し、遊休モードで動作するように制御すればよく、Ｍ２Ｍ機器は遊休モードに進入する。
【０１７０】
以上説明した本発明で提案した様々な実施例によってＭ２ＭシステムにおいてＭ２Ｍ機器にマルチキャストデータを伝送し、特に、遊休モードにあるＭ２Ｍ機器にマルチキャストデータを伝送する時にマルチキャストデータ受信終了を效率的に行うようにすることによって、Ｍ２Ｍ機器が小さい電力を消耗するようにするのに相当な効果を発揮する。
【０１７１】
以上ではＩＥＥＥ  ８０２．１６ｍ、１６ｅなどのシステムで使用されるメッセージフォーマットを用いて本発明に係る実施例を説明してきたが、このようなメッセージフォーマットの名称に限定されるものではなく、これらメッセージフォーマットと呼称や名称は異なるものの、同じ機能を果たす３ＧＰＰ  ＬＴＥ、ＬＴＥ−Ａシステムにおけるメッセージフォーマットなども適用可能である。
【０１７２】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含まれることもでき、別の実施例の対応する構成又は特徴に取って代わることもできる。特許請求の範囲において明示的な引用関係にない請求項を結合して実施例を構成したり、出願後の補正により新しい請求項として含めたりすることができることは明らかである。
【０１７３】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。
【産業上の利用可能性】
【０１７４】
無線通信システムにおいてＭ２Ｍ機器がマルチキャストデータ関連情報を送信及び受信する方法並びにそのための装置は、３ＧＰＰ  ＬＴＥ、ＬＴＥ−Ａ、ＩＥＥＥ  ８０２．１６などの種々の通信システムにおいて産業上利用可能である。
【図１】
2014506772.tif 000017
【図２】
2014506772.tif 000018
【図３】
2014506772.tif 000019
【図４】
2014506772.tif 000020
【図５】
2014506772.tif 000021
【図６】
2014506772.tif 000022
【図７】
2014506772.tif 000023
【図８】
2014506772.tif 000024
【図９】
2014506772.tif 000025
【図１０】
2014506772.tif 000026
【図１１】
2014506772.tif 000027
【図１２】
2014506772.tif 000028
【図１３】
2014506772.tif 000029
【国際調査報告】
2014506772.tif 000030
2014506772.tif 000031
2014506772.tif 000032
2014506772.tif 000033